(57)【要約】  本発明のカメラ駆動装置は、撮像面を含むカメラ部とカメラ部を内蔵し、吸着用磁石および凸状部分球面を外形に有する可動ユニットと磁性体および可動ユニットが遊嵌する凹部を有し、吸着用磁石の磁性体に対する磁気吸引力によって、可動ユニットの凸状部分球面と凹部とが点または線接触し、可動ユニットが第１の凸状部分球面の球心を中心として自在に回転する固定ユニットと、パンニング駆動部と、チルティング駆動部と、ローリング駆動部と、固定ユニットに対するカメラ部のパンニングおよびチルティング方向への傾斜角度とローリング方向に回転するカメラ部の回転角度を検出する検出器とを備える。
2012004952.tif 000002
【特許請求の範囲】
【請求項１】
撮像面を有する撮像素子、光軸を有し、前記面に被写体像を形成するレンズおよび前記レンズを保持するレンズ鏡筒を含むカメラ部と、
少なくとも１つの吸着用磁石を有し、前記カメラ部を内蔵する可動ユニットであって、第１の凸状部分球面を外形に有する可動ユニットと、
少なくとも１つの磁性体および前記可動ユニットの少なくとも一部が遊嵌する凹部を有し、前記少なくとも１つの吸着用磁石の前記少なくとも１つの前記磁性体に対する磁気吸引力によって、前記可動ユニットの前記第１の凸状部分球面と前記凹部とが点または線接触し、前記可動ユニットが前記第１の凸状部分球面の球心を中心として自在に回転する固定ユニットと、
前記固定ユニットに対して前記カメラ部をパンニング方向へ傾斜させるパンニング駆動部と、
前記固定ユニットに対して前記カメラ部を前記パンニング方向と直交するチルティング方向へ傾斜させるチルティング駆動部と、
前記固定ユニットに対して前記カメラ部を前記レンズの前記光軸を中心に回転するローリング方向へ回転させるローリング駆動部と、
前記固定ユニットに対する前記カメラ部の前記パンニングおよびチルティング方向への傾斜角度と前記ローリング方向に回転する前記カメラ部の回転角度を検出する検出器と、
を備えるカメラ駆動装置。
【請求項２】
前記固定ユニットは、前記凹部内に位置する少なくとも３つの第２の凸状部分球面を有し、前記第２の凸状部分球面と前記可動ユニットの第１の凸状部分球面とが点接触している請求項１に記載のカメラ駆動装置。
【請求項３】
前記固定ユニットは、前記凹部の内側面を構成する凹状円錐面を有し、前記円錐面と前記可動ユニットの第１の凸状部分球面とが線接触している請求項１に記載のカメラ駆動装置。
【請求項４】
固定ユニットに設けられ、前記可動ユニットが前記固定ユニットから脱落しないように前記可動ユニットの移動を制限する規制面を有する脱落防止部材をさらに備え、
前記規制面は、前記第１の凸状部分球面の球心と一致した中心を有する凹状部分球面を有する請求項１から３のいずれかに記載のカメラ駆動装置。
【請求項５】
前記パンニング駆動部は、
前記可動ユニットにおいて、前記光軸に対して対称に配置された１対のパンニング駆動磁石と、
前記１対のパニングング駆動磁石に対向するよう前記固定ユニットにそれぞれ配置された１対のパンニング磁気ヨークと、
前記１対のパニング磁気ヨークにそれぞれ巻回された１対のパニング駆動コイルと、
を含み、
前記チルティング駆動部は、
前記可動ユニットにおいて、前記光軸に対して対称に配置された１対のチルティング駆動磁石と、
前記１対のチルティング駆動磁石に対向するよう前記固定ユニットにそれぞれ配置された１対のチルティング磁気ヨークと、
前記１対のチルティング磁気ヨークにそれぞれ巻回された１対のチルティング駆動コイルと、
を含み、
前記１対のパンニング駆動磁石のそれぞれのおよび前記１対のチルティング駆動磁石のそれぞれと前記パンニング駆動コイルのそれぞれおよび前記チルティング駆動コイルのそれぞれとは、前記第１の凸状部分球面の球心を通る直線上に前記第１の前記光軸方向における中心の位置は、前記凸状部分球面の球心の位置とほぼ一致している請求項１から４のいずれかに記載のカメラ駆動装置。
【請求項６】
前記ローリング駆動部は、
前記光軸に垂直な平面の、前記１対のパンニング駆動磁石を結ぶ直線および前記１対のチルティング駆動磁石を結ぶ直線に対して４５度の角度をなし、前記光軸を通る直線上において、前記可動ユニットに配置された１対のローリング駆動磁石と、
前記ローリング駆動磁石に対向するよう前記固定ユニットにそれぞれ配置された１対のローリング磁気ヨークと、
前記１対のローリング磁気ヨークにそれぞれ巻回された１対のローリング駆動コイルと
を含む請求項５に記載のカメラ駆動装置。
【請求項７】
前記ローリング駆動部は、
前記１対の前記パンニング磁気ヨークおよび前記１対のチルティング磁気ヨークにそれぞれ巻回された４つのローリング駆動コイルを含み、
前記１対のパンニング駆動磁石および前記１対のチルティング駆動磁石をローリング駆動磁石として用いる請求項５に記載のカメラ駆動装置。
【請求項８】
前記少なくとも１つの磁性体は、前記１対のパンニング磁気ヨーク、前記１対のチルティング磁気ヨークおよび前記１対のローリング磁気ヨークである請求項６に記載のカメラ駆動装置。
【請求項９】
前記少なくとも１つの磁性体は、前記１対のパンニング磁気ヨークおよび前記１対のチルティング磁気ヨークである請求項７に記載のカメラ駆動装置。
【請求項１０】
前記少なくとも１つの吸着用磁石は、前記１対のパンニング駆動磁石、前記１対のチルティング駆動磁石および前記１対のローリング駆動磁石である請求項８に記載のカメラ駆動装置。
【請求項１１】
前記少なくとも１つの吸着用磁石は、前記１対のパンニング駆動磁石および前記１対のチルティング駆動磁石である請求項９に記載のカメラ駆動装置。
【請求項１２】
前記１対のパンニング駆動コイルおよび前記１対のチルティング駆動コイルのそれぞれの巻回中心軸と垂直であり、前記第１の凸状部分球面の球心およびそれぞれの駆動コイルを通る直線は、前記光軸に垂直であり、前記第１の凸状部分球面の球心を通る水平面に対して、４５度以下の傾斜角度Ａをなしており、
前記１対のパンニング駆動磁石および前記１対のチルティング駆動磁石は、前記１つのパンニング駆動コイルおよび前記１対のチルティング駆動コイルに対向するよう前記可動ユニットに傾斜して配置されている請求項５から７のいずれかに記載のカメラ駆動装置。
【請求項１３】
前記１対のローリング駆動コイルのそれぞれの巻回中心軸と垂直であり、前記第１の凸状部分球面の球心を通る直線は、前記光軸に垂直であり、前記第１の凸状部分球面の球心およびそれぞれのローリング駆動コイルの中心を通る水平面に対して、４５度以下の傾斜角度Ｂをなしており、
前記１対のローリング駆動磁石は、前記ローリング駆動コイルに対向するよう前記可動ユニットに傾斜して配置されている請求項６または７に記載のカメラ駆動装置。
【請求項１４】
前記傾斜角度Ａが２０度である請求項１２に記載のカメラ駆動装置。
【請求項１５】
前記傾斜角度Ｂが２０度である請求項１３に記載のカメラ駆動装置。
【請求項１６】
前記各第２の凸状部分球面の球心と前記第１の凸状部分球面の球心とを結ぶ直線は、前記光軸に垂直であり、前記第１の凸状部分球面の球心を通る水平面に対して、４５度の傾斜角度Ｃをなしている請求項２に記載のカメラ駆動装置。
【請求項１７】
前記１対のパンニング駆動磁石、前記１対のチルティング駆動磁石および前記１対のローリング駆動磁石は、それぞれ、前記可動ユニットの内側に位置しており、前記第１の凸状部分球面において露出していない請求項５に記載のカメラ駆動装置。
【請求項１８】
前記１対のパンニング駆動コイル、前記１対のチルティング駆動コイルおよび前記１対のローリング駆動コイルは、それぞれ、前記固定ユニットの内側に設けられ、前記凹部内において露出していない請求項６に記載のカメラ駆動装置。
【請求項１９】
前記可動ユニットは、樹脂材料によって構成されている請求項１７に記載のカメラ駆動装置。
【請求項２０】
前記可動ユニットは、前記１対のパンニング駆動磁石、前記１対のチルティング駆動磁石および前記１対のローリング駆動磁石とともに一体成型されている請求項１９に記載のカメラ駆動装置。
【請求項２１】
前記固定ユニットは、樹脂材料によって構成されている請求項１８に記載のカメラ駆動装置。
【請求項２２】
前記固定ユニットは、前記１対のパンニング駆動コイル、前記１対のチルティング駆動コイル、前記１対のローリング駆動コイル、前記１対のパンニング磁気ヨーク、前記１対のチルティング磁気ヨークおよび前記１対のローリング磁気ヨークとともに一体成型されている請求項２１に記載のカメラ駆動装置。
【請求項２３】
前記可動ユニットの重心は前記第１の凸状部分球面の球心と一致している請求項１から４のいずれかに記載のカメラ駆動装置。
【請求項２４】
前記カメラ部に接続され、フレキシブルプリント配線板によって構成された配線をさらに備え、
前記配線は、前記光軸に対して線対称に配置されており、前記光軸に垂直な平面において、前記１対のチルティング駆動磁石を結ぶ線または前記１対のパンニング駆動磁石を結ぶ線に対して４５度をなす方向において、前記可動ユニットに固定されている請求項５に記載のカメラ駆動装置。
【請求項２５】
前記検出器は、
前記固定ユニットに対する前記カメラ部の前記パンニング方向および前記チルティング方向への傾斜角度を検出する第１の検出部と、
前記光軸周りの前記カメラ部の回転角度を検出する第２の検出部と
を含む請求項２４に記載のカメラ駆動装置。
【請求項２６】
前記第１の検出部は、
前記固定ユニットに固定された第１の磁気センサーと、
前記可動ユニットに設けられた傾斜検出用磁石と
を含み、
前記第１の磁気センサーは、前記傾斜検出用磁石の傾斜による磁力変化を検出し、前記カメラ部の前記パンニング方向および前記チルティング方向の２次元の傾斜角度を算出する請求項２５に記載のカメラ駆動装置。
【請求項２７】
前記第１の磁気センサーおよび前記傾斜検出用磁石は、前記光軸上に位置している請求項２６に記載のカメラ駆動装置。
【請求項２８】
前記第１の検出部は、
前記固定ユニットに固定された光センサーと、
前記可動ユニットの前記第１の凸状部分球面の一部に設けられた光検出パターンと
を含み、
前記光センサーは、前記光検出パターンの傾斜による前記光センサーに入射する光の変化を検出し、前記カメラ部の前記パンニングおよびチルティング方向の２次元の傾斜角度を算出する請求項２５に記載のカメラ駆動装置。
【請求項２９】
前記光センサーおよび前記光検出パターンは、前記光軸上に位置している請求項２８に記載のカメラ駆動装置。
【請求項３０】
前記第２の検出部は、
前記固定ユニットに固定された１対の第２の磁気センサーと、
前記可動ユニットに設けられた１対の回転検出用磁石と
を含み、
前記１対の第２の磁気センサーは、前記回転検出用磁石の回転による磁力変化を検出して、前記カメラ部の回転角度を算出する請求項２５に記載のカメラ駆動装置。
【請求項３１】
前記１対の第２の磁気センサーおよび前記１対の回転検出用磁石は、それぞれ、前記光軸に対して対称に配置されている請求項３０に記載のカメラ駆動装置。
【請求項３２】
前記可動ユニットが中立の位置にあるとき、前記光軸に直交する平面において、前記１対の第２の磁気センサーを結ぶ直線および前記１対の回転検出用磁石は、それぞれ、前記１対のパンニング駆動磁石を結ぶ直線および前記１対のチルティング駆動磁石を結ぶ直線に対して４５度の角度をなす直線上に配置されている請求項３１に記載のカメラ駆動装置。
【請求項３３】
前記１対の回転検出用磁石のそれぞれは、前記光軸に直交する平面において、前記第１の凸状部分球面の球心を通る直線に平行であり互いに逆向き方向に着磁された２つの磁極を有し、かつ、２つの磁極は前記光軸を中心とする円の円周方向に配列されている請求項３２に記載のカメラ駆動装置。
【請求項３４】
前記１対の第２の磁気センサーは、前記配線に設けられている請求項３０または３１に記載のカメラ駆動装置。
【請求項３５】
前記脱落防止部材の前記規制面と前記可動ユニットの第１の凸状部分球面との間に粘性部材または磁性流体をさらに備える請求項４に記載のカメラ駆動装置。
【請求項３６】
前記脱落防止部材の前記規制面と前記前記可動ユニットの前記第１の凸状部分球面との間に空隙が設けられており、
前記可動ユニットの前記第１の凸状部分球面が前記固定ユニットの前記凹部から離間しても、前記磁気吸引力によって、点または線接触の状態に戻るように前記空隙は決定されている請求項４に記載のカメラ駆動装置。
【請求項３７】
請求項１から３６のいずれかに規定されるカメラ駆動装置と、
前記固定ユニットの直交する３軸周りの角速度をそれぞれ検出する角速度センサーと、
前記角速度センサーからの出力に基づき、目標回転角度信号を生成する演算処理部と、
前記目標回転角度信号に基づき、前記第１の駆動部および前記第２の駆動部を駆動する信号を生成する駆動回路と
を備えたカメラユニット。
【請求項３８】
光軸を有し、光を受光または発光する光デバイスと、
少なくとも１つの吸着用磁石を有し、前記光デバイスを内蔵する可動ユニットであって、第１の凸状部分球面を外形に有する可動ユニットと、
少なくとも１つの磁性体および前記可動ユニットの少なくとも一部が遊嵌する凹部を有し、前記少なくとも１つの吸着用磁石の前記少なくとも１つの磁性体に対する磁気吸引力によって、前記可動ユニットの前記第１の凸状部分球面と前記凹部とが点または線接触し、前記可動ユニットが前記第１の凸状部分球面の球心を中心として自在に回動する固定ユニットと、
前記固定ユニットに対して前記光デバイスをパンニング方向へ傾斜させるパンニング駆動部と、
前記固定ユニットに対して前記光デバイスを前記パンニング方向と直交するチルティング方向へ傾斜させるチルティング駆動部と、
前記固定ユニットに対する前記カメラ部の前記パンニングおよびチルティング方向への傾斜角度を検出する検出器と、
を備える光デバイス駆動装置。
【発明の詳細な説明】
【技術分野】
【０００１】
本発明は、撮像素子を含むカメラ部を、パンニング（ヨーイング）方向およびチルティング（ピッチング）方向に傾け、かつ、レンズの光軸を中心に回転（ローリング）させることが可能なカメラ駆動装置に関する。
【背景技術】
【０００２】
近年市販されるビデオカメラやデジタルカメラの多くには、手振れによる撮影画像の像振れを補正する手振れ補正装置が設けられている。この手振れ補正装置は、レンズ、レンズ鏡筒、反射ミラーまたは撮像素子等をカメラの光軸に対して傾斜させるか、または、光軸に直交する平面で２次元的に移動させる。【０００３】
たとえば、特許文献１は、レンズ鏡筒を１点で弾性支持し、レンズ鏡筒を光軸に対して傾斜させる構造を有する振れ補正機構を開示している。特許文献２は、ミラーをピポッド構成で支持し、光軸に対して傾斜させる手振れ補正装置を開示している。また、特許文献３は、球状のレンズ鏡筒を３点で支持し、光軸に沿って移動させるとともに傾斜させる撮像レンズユニットを開示している。
【先行技術文献】
【特許文献】
【０００４】
【特許文献１】特開２００６−５３３５８号公報
【特許文献２】特開１１−２２０６５１号公報
【特許文献３】特開２００８−５８３９１号公報
【発明の概要】
【発明が解決しようとする課題】
【０００５】
一般に、人が静止して撮影する場合に発生する手振れ角度は、±０．３度程度であり、またその発生周波数成分は２０〜３０Ｈｚ程度であると言われている。また手振れ補正制御は、１０Ｈｚ程度の周波数帯域で行う必要があると言われている。【０００６】
このように、撮影者が静止した状態でビデオカメラやデジタルカメラの撮影を行う場合、手振れ角度は比較的小さく、また、制御のための周波数も比較的低い。このため、静止時の手振れによる撮影画像の像振れを補正する従来のカメラ駆動装置は、カメラ駆動装置を構成する各部（レンズ、レンズ鏡筒、反射ミラー、撮像素子等）をレンズの光軸に対して傾斜させる傾斜角度や、光軸に直交する平面で２次元的に直線移動させる移動量が微少であるにもかかわらず、良好な手振れ補正を実現していた。【０００７】
しかしながら、撮影者が歩きながら動画や静止画の撮影をする歩行撮影時においては、発生する画像の振れ（以下、歩行振れと呼ぶ場合がある。歩行振れには手振れも含まれる。）の角度は、たとえば±１０度以上であり、歩行振れを補正するためには、５０Ｈｚ程度の周波数帯域で制御を行う必要があると言われている。【０００８】
このように画像の振れ角度が大きくなり、より高い周波数で制御を行う場合、従来のカメラ駆動装置では、構成要素を支持する支持系および構成要素を駆動する駆動系の構成において課題がある。【０００９】
たとえば、特許文献１の装置は、レンズ鏡筒を微小な角度で傾斜させるのに適しているが、±１０度を超えるような大きな角度でレンズ鏡筒を傾斜させる場合、支持している弾性体が塑性領域まで変形してしまうと考えられる。また傾斜させる角度が大きくなると、弾性体のバネ定数による負荷が非常に大きくなり、弾性体による固有振動の振幅増大係数（Ｑ値）も増大する。その結果、補正制御の位相特性やゲイン特性が悪化し、上述した周波数帯域で補正制御を行うことが困難になると考えられる。【００１０】
特許文献２の装置は、画像の振れを補正するために、反射ミラーを駆動させている。しかしながら、ビデオカメラやデジタルカメラが広角レンズ系を備えている場合、光学系に反射ミラーを設けようとすれば、反射ミラーは光学系において大きな構成要素となってしまう。このため、反射ミラーは小型化が望まれるビデオカメラやデジタルカメラには適切な解決手段とは言い難い。また、磁気吸引力でミラーをピポッド支持しているため、振動や衝撃等の外乱によって、ミラーが脱落する可能性がある。【００１１】
特許文献３のレンズユニットは、球状のレンズホルダを備えているため、大きな角度でレンズホルダを傾斜させることが可能である。しかし、レンズホルダと、その外側に設けられたホルダとが接触する部分の回転半径が大きいことから、可動ユニットへの摩擦負荷が増大し、動作移動距離が大きくなる。その結果、傾斜角度が大きくなると、接触摩擦負荷の変動が増大し、正確な制御が困難であると考えられる。また、レンズホルダと外側に設けられたホルダとの間隔を正確に制御しないと、レンズホルダの傾斜角度を正確に制御することが困難となる。これらの部品の加工精度によっては、機械的なガタが発生し、可動ユニットの周波数応答特性に支障をきたす可能性がある。【００１２】
また、特許文献１から３の装置は、レンズ等の構成要素をカメラ部の光軸を中心に回転させる構造を備えていない。【００１３】
本発明は、このような従来技術の課題の少なくとも１つを解決し、カメラ部を３軸方向に回転可能なカメラ駆動装置を提供することを目的とする。また、少なくとも２方向に回転可能な光デバイス駆動装置を提供することを目的とする。
【課題を解決するための手段】
【００１４】
本発明のカメラ駆動装置は、撮像面を有する撮像素子、光軸を有し、前記面に被写体像を形成するレンズおよび前記レンズを保持するレンズ鏡筒を含むカメラ部と、少なくとも１つの吸着用磁石を有し、前記カメラ部を内蔵する可動ユニットであって、第１の凸状部分球面を外形に有する可動ユニットと、少なくとも１つの磁性体および前記可動ユニットの少なくとも一部が遊嵌する凹部を有し、前記少なくとも１つの吸着用磁石の前記少なくとも１つの前記磁性体に対する磁気吸引力によって、前記可動ユニットの前記第１の凸状部分球面と前記凹部とが点または線接触し、前記可動ユニットが前記第１の凸状部分球面の球心を中心として自在に回転する固定ユニットと、前記固定ユニットに対して前記カメラ部をパンニング方向へ傾斜させるパンニング駆動部と、前記固定ユニットに対して前記カメラ部を前記パンニング方向と直交するチルティング方向へ傾斜させるチルティング駆動部と、前記固定ユニットに対して前記カメラ部を前記レンズの前記光軸を中心に回転するローリング方向へ回転させるローリング駆動部と、前記固定ユニットに対する前記カメラ部の前記パンニングおよびチルティング方向への傾斜角度と前記ローリング方向に回転する前記カメラ部の回転角度を検出する検出器とを備える。【００１５】
ある好ましい実施形態において、前記固定ユニットは、前記凹部内に位置する少なくとも３つの第２の凸状部分球面を有し、前記第２の凸状部分球面と前記可動ユニットの第１の凸状部分球面とが点接触している。【００１６】
ある好ましい実施形態において、前記固定ユニットは、前記凹部の内側面を構成する凹状円錐面を有し、前記円錐面と前記可動ユニットの第１の凸状部分球面とが線接触している。【００１７】
ある好ましい実施形態において、カメラ駆動装置は、固定ユニットに設けられ、前記可動ユニットが前記固定ユニットから脱落しないように前記可動ユニットの移動を制限する規制面を有する脱落防止部材をさらに備え、前記規制面は、前記第１の凸状部分球面の球心と一致した中心を有する凹状部分球面を有する。【００１８】
ある好ましい実施形態において、前記パンニング駆動部は、前記可動ユニットにおいて、前記光軸に対して対称に配置された１対のパンニング駆動磁石と、前記１対のパニングング駆動磁石に対向するよう前記固定ユニットにそれぞれ配置された１対のパンニング磁気ヨークと、前記１対のパニング磁気ヨークにそれぞれ巻回された１対のパニング駆動コイルとを含み、前記チルティング駆動部は、前記可動ユニットにおいて、前記光軸に対して対称に配置された１対のチルティング駆動磁石と、前記１対のチルティング駆動磁石に対向するよう前記固定ユニットにそれぞれ配置された１対のチルティング磁気ヨークと、前記１対のチルティング磁気ヨークにそれぞれ巻回された１対のチルティング駆動コイルとを含み、前記１対のパンニング駆動磁石のそれぞれのおよび前記１対のチルティング駆動磁石のそれぞれと前記パンニング駆動コイルのそれぞれおよび前記チルティング駆動コイルのそれぞれとは、前記第１の凸状部分球面の球心を通る直線上に前記第１の前記光軸方向における中心の位置は、前記凸状部分球面の球心の位置とほぼ一致している。【００１９】
ある好ましい実施形態において、前記ローリング駆動部は、前記光軸に垂直な平面の、前記１対のパンニング駆動磁石を結ぶ直線および前記１対のチルティング駆動磁石を結ぶ直線に対して４５度の角度をなし、前記光軸を通る直線上において、前記可動ユニットに配置された１対のローリング駆動磁石と、前記ローリング駆動磁石に対向するよう前記固定ユニットにそれぞれ配置された１対のローリング磁気ヨークと、前記１対のローリング磁気ヨークにそれぞれ巻回された１対のローリング駆動コイルとを含む。【００２０】
ある好ましい実施形態において、前記ローリング駆動部は、前記１対の前記パンニング磁気ヨークおよび前記１対のチルティング磁気ヨークにそれぞれ巻回された４つのローリング駆動コイルを含み、前記１対のパンニング駆動磁石および前記１対のチルティング駆動磁石をローリング駆動磁石として用いる。【００２１】
ある好ましい実施形態において、前記磁性体は、前記１対のパンニング磁気ヨーク、前記１対のチルティング磁気ヨークおよび前記１対のローリング磁気ヨークである。【００２２】
ある好ましい実施形態において、前記少なくとも１つの磁性体は、前記１対のパンニング磁気ヨークおよび前記１対のチルティング磁気ヨークである。【００２３】
ある好ましい実施形態において、前記少なくとも１つの吸着用磁石は、前記１対のパンニング駆動磁石、前記１対のチルティング駆動磁石および前記１対のローリング駆動磁石である。【００２４】
ある好ましい実施形態において、前記吸着用磁石は、前記１対のパンニング駆動磁石および前記１対のチルティング駆動磁石である。【００２５】
ある好ましい実施形態において、前記１対のパンニング駆動コイルおよび前記１対のチルティング駆動コイルのそれぞれの巻回中心軸と垂直であり、前記第１の凸状部分球面の球心およびそれぞれの駆動コイルを通る直線は、前記光軸に垂直であり、前記第１の凸状部分球面の球心を通る水平面に対して、４５度以下の傾斜角度Ａをなしており、前記１対のパンニング駆動磁石および前記１対のチルティング駆動磁石は、前記１つのパンニング駆動コイルおよび前記１対のチルティング駆動コイルに対向するよう前記可動ユニットに傾斜して配置されている。【００２６】
ある好ましい実施形態において、前記１対のローリング駆動コイルのそれぞれの巻回中心軸と垂直であり、前記第１の凸状部分球面の球心を通る直線は、前記光軸に垂直であり、前記第１の凸状部分球面の球心およびそれぞれのローリング駆動コイルの中心を通る水平面に対して、４５度以下の傾斜角度Ｂをなしており、前記１対のローリング駆動磁石は、前記ローリング駆動コイルに対向するよう前記可動ユニットに傾斜して配置されている。【００２７】
ある好ましい実施形態において、前記傾斜角度Ａおよび前記傾斜角度Ｂが２０度である。【００２８】
ある好ましい実施形態において、前記各第２の凸状部分球面の球心と前記第１の凸状部分球面の球心とを結ぶ直線は、前記光軸に垂直であり、前記第１の凸状部分球面の球心を通る水平面に対して、４５度の傾斜角度Ｃをなしている。【００２９】
ある好ましい実施形態において、カメラ駆動装置は、前記傾斜角度Ａおよび前記傾斜角度Ｂは、前記傾斜角度Ｃと異なる。【００３０】
ある好ましい実施形態において、前記１対のパンニング駆動磁石、前記１対のチルティング駆動磁石および前記１対のローリング駆動磁石は、それぞれ、前記可動ユニットの内側に位置しており、前記第１の凸状部分球面において露出していない。【００３１】
ある好ましい実施形態において、前記１対のパンニング駆動コイル、前記１対のチルティング駆動コイルおよび前記１対のローリング駆動コイルは、それぞれ、前記固定ユニットの内側に設けられ、前記凹部内において露出していない。【００３２】
ある好ましい実施形態において、前記可動ユニットは、樹脂材料によって構成されている。【００３３】
ある好ましい実施形態において、前記可動ユニットは、前記１対のパンニング駆動磁石、前記１対のチルティング駆動磁石および前記１対のローリング駆動磁石とともに一体成型されている。【００３４】
ある好ましい実施形態において、前記固定ユニットは、樹脂材料によって構成されている。【００３５】
ある好ましい実施形態において、前記固定ユニットは、前記１対のパンニング駆動コイル、前記１対のチルティング駆動コイル、前記１対のローリング駆動コイル、前記１対のパンニング磁気ヨーク、前記１対のチルティング磁気ヨークおよび前記１対のローリング磁気ヨークとともに一体成型されている。【００３６】
ある好ましい実施形態において、前記可動ユニットの重心は前記第１の凸状部分球面の球心と一致している。【００３７】
ある好ましい実施形態において、カメラ駆動装置は、前記カメラ部に接続され、フレキシブルプリント配線板によって構成された配線をさらに備え、前記配線は、前記光軸に対して線対称に配置されており、前記光軸に垂直な平面において、前記１対のチルティング駆動磁石を結ぶ線または前記１対のパンニング駆動磁石を結ぶ線に対して４５度をなす方向において、前記可動ユニットに固定されている。【００３８】
ある好ましい実施形態において、前記検出器は、前記固定ユニットに対する前記カメラ部の前記パンニング方向および前記チルティング方向への傾斜角度を検出する第１の検出部と、前記光軸周りの前記カメラ部の回転角度を検出する第２の検出部とを含む。【００３９】
ある好ましい実施形態において、前記第１の検出部は、前記固定ユニットに固定された第１の磁気センサーと、前記前記可動ユニットに設けられた傾斜検出用磁石とを含み、前記第１の磁気センサーは、前記傾斜検出用磁石の傾斜による磁力変化を検出し、前記カメラ部の前記パンニング方向および前記チルティング方向の２次元の傾斜角度を算出する。【００４０】
ある好ましい実施形態において、前記第１の磁気センサーおよび前記傾斜検出用磁石は、前記光軸上に位置している。【００４１】
ある好ましい実施形態において、前記第１の検出部は、前記固定ユニットに固定された光センサーと、前記可動ユニットの前記第１の凸状部分球面の一部に設けられた光検出パターンとを含み、前記光センサーは、前記光検出パターンの傾斜による前記光センサに入射する光の変化を検出し、前記カメラ部の前記パンニングおよびチルティング方向の２次元の傾斜角度を算出する。【００４２】
ある好ましい実施形態において、前記光センサーおよび前記光検出パターンは、前記光軸上に位置している。【００４３】
ある好ましい実施形態において、前記第２の検出部は、前記固定ユニットに固定された１対の第２の磁気センサーと、前記可動ユニットに設けられた１対の回転検出用磁石とを含み、前記１対の第２の磁気センサーは、前記回転検出用磁石の回転による磁力変化を検出して、前記カメラ部の回転角度を算出する。【００４４】
ある好ましい実施形態において、前記１対の第２の磁気センサーおよび前記１対の回転検出用磁石は、それぞれ、前記光軸に対して対称に配置されている。【００４５】
ある好ましい実施形態において、前記可動ユニットが中立の位置にあるとき、前記光軸に直交する平面において、前記１対の第２の磁気センサーを結ぶ直線および前記１対の回転検出用磁石は、それぞれ、前記１対のパンニング駆動磁石を結ぶ直線および前記１対のチルティング駆動磁石を結ぶ直線に対して４５度の角度をなす直線上に配置されている。【００４６】
ある好ましい実施形態において、前記１対の回転検出用磁石のそれぞれは、前記光軸に直交する平面において、前記第１の凸状部分球面の球心を通る直線に平行であり互いに逆向き方向に着磁された２つの磁極を有し、かつ、２つの磁極は前記光軸を中心とする円の円周方向に配列されている。【００４７】
ある好ましい実施形態において、前記１対の第２の磁気センサーは、前記配線に設けられている。【００４８】
ある好ましい実施形態において、カメラ駆動装置は、前記脱落防止部材の前記規制面と前記可動ユニットの第１の凸状部分球面との間に粘性部材または磁性流体をさらに備える。【００４９】
ある好ましい実施形態において、前記脱落防止部材の前記規制面と前記前記可動ユニットの前記第１の凸状部分球面との間に空隙が設けられており、前記可動ユニットの前記第１の凸状部分球面が前記固定ユニットの前記凹部から離間しても、前記磁気吸引力によって、点または線接触の状態に戻るように前記空隙は決定されている。【００５０】
本発明のカメラユニットは、上記いずれかに規定されるカメラ駆動装置と、前記固定ユニットの直交する３軸周りの角速度をそれぞれ検出する角速度センサーと、前記角速度センサーからの出力に基づき、目標回転角度信号を生成する演算処理部と、前記目標回転角度信号に基づき、前記第１の駆動部および前記第２の駆動部を駆動する信号を生成する駆動回路とを備える。【００５１】
本発明の光デバイス駆動装置は、光軸を有し、光を受光または発光する光デバイスと、少なくとも１つの吸着用磁石を有し、前記光デバイスを内蔵する可動ユニットであって、第１の凸状部分球面を外形に有する可動ユニットと、少なくとも１つの磁性体および前記可動ユニットの少なくとも一部が遊嵌する凹部を有し、前記少なくとも１つの吸着用磁石の前記少なくとも１つの磁性体に対する磁気吸引力によって、前記可動ユニットの前記第１の凸状部分球面と前記凹部とが点または線接触し、前記可動ユニットが前記第１の凸状部分球面の球心を中心として自在に回動する固定ユニットと、前記固定ユニットに対して前記光デバイスをパンニング方向へ傾斜させるパンニング駆動部と、前記固定ユニットに対して前記光デバイスを前記パンニング方向と直交するチルティング方向へ傾斜させるチルティング駆動部と、前記固定ユニットに対する前記カメラ部の前記パンニングおよびチルティング方向への傾斜角度を検出する検出器とを備える。
【発明の効果】
【００５２】
本発明のカメラ駆動装置によれば、吸着用磁石および第１の凸状部分球面を有する可動ユニットと、磁性体および前記可動ユニットの少なくとも一部が遊嵌する凹部を有し、吸着用磁石の磁性体に対する磁気吸引力によって、可動ユニット点または線接触する固定ユニットとを備えるため、第１の凸状部分球面の球心を中心として可動ユニットを固定ユニットに対し自在に回転させることができる。また、磁気吸引力によって第１の凸状部分球面が凹部に内接した状態を維持するため、可動ユニットの回転状態によらず、接触による負荷を一定にできる。【００５３】
さらに、凸状部分球面を凹部と係合させるピポッド支持構造によって、可動ユニットの重心支持が実現できるため、制御周波数領域における機械的共振を大幅に抑圧することができる。【００５４】
また、本発明の特定の実施形態によれば、更に以下の効果が得られる。具体的には、脱落防止部材を備えることにより、可動ユニットに外部から衝撃受けても、可動ユニットが脱落することなく、凸状部分球面が凹部に接触した状態に復帰することができる。【００５５】
さらに、可動ユニットの凸状部分球面が固定ユニットの凹状円錐面に内接するピポッド構成において、回動角度に影響しない磁気吸引力による一定の垂直抗力を付加することにより、回動角度に対する摩擦負荷変動を低減し、制御動周波数領域において良好な位相・ゲイン特性を実現できる。【００５６】
さらに脱落防止規制面を固定ユニットに固定される脱落防止部材に設けることで、可動ユニットを固定ユニットに組込む際の作業が容易となり、組立性の大幅な向上を実現できる。【００５７】
さらにパンニング、チルティング方向の駆動部は、可動ユニットに固定され、かつ光軸を中心とした円周状に互いに直交配置された２対の駆動磁石と、駆動磁石に対向するよう固定ユニットにそれぞれ設けられた２対の駆動コイルからなる。【００５８】
さらにローディング方向の駆動部は、可動ユニットに固定され、かつ光軸を中心とした円周状に配置された１対の駆動磁石と、駆動磁石に対向するよう固定ユニットに設けられた１対の駆動コイルからなる。【００５９】
また、可動ユニットに駆動磁石を搭載するムービングマグネット駆動型の構成を実現することで、可動ユニットへの駆動電流供給を削除させることができる。【００６０】
また、可動ユニットの凸状部分球面と固定ユニットの脱落防止規制面との間に構成される略リング状の空隙に振動減衰用の粘性部材もしくは磁性流体を充填することにより、可動ユニットに設けられた駆動磁石と固定ユニットに設けられた磁気ヨークとの間に発生する磁気吸引力の磁気バネ効果による振幅増大係数（Ｑ値）や機械的な固有振動のＱ値を低減でき、良好な制御特性を得ることができる。【００６１】
また、可動ユニットの傾斜検出手段は、可動部の底部の光軸上に傾斜検出用磁石と、傾斜検出用磁石に対向するように固定ユニットに設けた第１の磁気センサーにより構成され、これにより可動ユニットの傾斜による傾斜検出用磁石の磁力変化を検出し、傾斜角度の算出をすることで装置の小型化を実現できる。【００６２】
また、可動ユニットの回転検出手段は、光軸に直交し球心を通る方向に着磁され、かつ光軸を中心に回転するローリング方向に２つの磁極を逆順にそれぞれ配した検出用磁石を光軸に対して対称配置されるよう可動ユニットに設けた１対の回転検出用磁石と、１対の回転検出用磁石に対向するように固定ユニットに設けられた１対の第２の磁気センサーとから構成される。これにより、回転検出用磁石の磁気変化を差動検出することが可能となり、パンニングとチルティング方向に可動ユニットを回動した場合に発生するクロストーク出力をキャンセルすることができ、可動ユニットの回動可能な範囲でローリング方向の角度のみを抽出して検出することができる。【００６３】
さらに光軸の方向からみて回転検出手段をパンニング駆動部とチルティング駆動部に対して４５度をなす角度に配置し、光軸を中心とした円周上に複数の駆動部を設けて駆動モーメント力を向上するとともに、同一の円周上に回転検出手段を設けることで、装置として省スペース化を実現できる。【００６４】
さらにローリング駆動部において、パンニングおよびチルティング駆動磁石をローリング駆動磁石として併用し、かつローリング駆動コイルは、パンニングおよびチルティング駆動コイルのコイル巻回方向に対して直交するようにパニングおよびチルティング磁気ヨークに巻回する十字巻き構成を有することで、装置として省スペース化・小型化と部品点数削減を実現できる。【００６５】
さらに固定ユニットに固定されるパンニング、チルティングおよびローリング駆動コイルとそれぞれに対向する可動ユニットに搭載されるパンニング、チルティングおよびローリング駆動磁石は、光軸に直交し、可動ユニットの凸状部分球面の球心を含む水平面より下方に傾斜した（２０度〜４５度）高さ位置に構成することで装置の低背化を実現できる。可動ユニットと固定ユニット間に発生させる磁気吸引力は、パンニング、チルティングおよびローリング駆動部におけるそれぞれの複数の駆動磁石と複数の磁気ヨーク間で分散して得ることができるため、可動ユニットと固定ユニット間の垂直抗力による摩擦抵抗を回動角度に依存しない一定の値にすることができる。【００６６】
さらにパンニング、チルティングおよびローリング駆動磁石は、それぞれ可動ユニットに内蔵され、固定ユニットの凹状円錐面に接触する可動部の凸状部分球面にパニング、チルティングおよびローリング駆動磁石を露出させないため、可動ユニットと固定ユニット間の摩擦係数を低減できる。【００６７】
さらに固定ユニットの凹状円錐面と可動部の凸状部分球面を摺動性が優れるプラスチック樹脂にすることで、可動ユニットと固定ユニット間の摩擦係数をさらに低減できる。さらに固定ユニットの凹状円錐面と可動部の凸状部分球面との間に、少なくとも３個以上の支持ボールを介在させることで可動ユニットと固定ユニット間の摩擦係数をさらに低減できる。【００６８】
さらに光軸に直交し、可動ユニットの凸状部分球面の球心を含む水平面より３０度下方に傾斜した高さ位置にパンニング、チルティングおよびローリング駆動部を構成し、かつ、水平面より４５度下方に傾斜した高さ位置に支持ボールを構成することで、可動ユニットと固定ユニット間の摩擦係数低減と装置低背化を両立させることができる。【００６９】
さらに固定ユニットをプラスチック樹脂にすることで、固定ユニットを構成する部品であるパンニング、チルティングおよびローリング駆動コイルとパンニング、チルティングおよびローリング磁気ヨークを含めて一体成型化が可能となり、装置の低コスト化が実現できる。【００７０】
さらに可動ユニットをプラスチック樹脂にすることで、可動ユニットを構成する部品であるパンニング、チルティングおよびローリング駆動磁石と、回転検出用磁石と傾斜検出用磁石を含めて一体成型化が可能となり、装置の低コスト化が実現できる。【００７１】
さらに固定ユニットの凹状円錐面と可動部の凸状部分球面を摺動性が優れるプラスチック樹脂にすることで、可動ユニットと固定ユニット間の摩擦係数をさらに軽減できる。さらに、可動ユニットの傾斜検出部は、固定ユニットに固定された光センサーと、可動ユニットの凸状部分球面の一部に印刷された図柄模様の傾斜による移動を検出し、パンニングおよびチルティング方向の２次元の傾斜角度を算出することで、装置の低コスト化を実現できる。【００７２】
以上のように本発明は、ピポッド支持構造による可動ユニットの重心支持・重心駆動を実現することで、制御周波数領域において機械的共振を大幅に抑圧することができる。さらにパンニング方向とチルティング方向に±１０度以上の大きな傾斜駆動とローリング方向に回転可能な駆動支持系を使用して、５０Hz程度までの広帯域の周波数領域で良好な振れ補正制御を実現でき、歩行振れによる像振れの補正が可能な小型で堅牢なカメラ駆動装置を提供できる。
【図面の簡単な説明】
【００７３】
【図１】本発明の第１の実施形態の概略構成を示す分解斜視図である。
【図２】本発明の第１の実施形態の詳細構成を示す分解斜視図である。
【図３Ａ】本発明の第１の実施形態の上方から見た斜視図である。
【図３Ｂ】本発明の第１の実施形態の上方から見た脱落防止部材２０１を排除した斜視図である。
【図４Ａ】本発明の第１の実施形態の違う角度の上方から見た斜視図である。
【図４Ｂ】本発明の第１の実施形態の違う角度の上方から見た脱落防止部材２０１を排除した斜視図である。
【図４Ｃ】本発明の第１の実施形態の上方から見た脱落防止部材２０１の斜視図である。
【図５】本発明の第１の実施形態のカメラ部１００に搭載するレンズの光軸１０方向から見た平面図である。
【図６Ａ】本発明の第１の実施形態の上方から見たカメラ部１００とベース２００を排除した可動ユニットと駆動部の斜視図である。
【図６Ｂ】本発明の第１の実施形態の違う角度の上方から見たカメラ部１００とベース２００を排除した可動ユニットと駆動部の斜視図である。
【図７】本発明の第１の実施形態の上方から見た固定ユニットの斜視図である。
【図８】本発明の第１の実施形態の固定ユニットの概略構成を示す分解斜視図である。
【図９】（ａ）および（ｂ）は、本発明の第１の実施形態の上面図および光軸１０とパンニング方向回転軸１２を含む平面での断面図である。
【図１０】（ａ）および（ｂ）は、本発明の第１の実施形態の上面図および光軸１０と直線１４を含む平面での断面図である。
【図１１】（ａ）および（ｂ）は、本発明の第１の実施形態の上面図および光軸１０と直線１３を含む平面での断面図である。
【図１２Ａ】本発明の第１の実施形態のパンニング方向２０およびチルティング方向２１に同角度ずつ傾斜した合成角度θｘｙに傾斜させた状態における上方から見た斜視図である。
【図１２Ｂ】本発明の第１の実施形態のパンニング方向２０とチルティング方向２１に同角度ずつ傾斜した合成角度θｘｙに傾斜させた状態における上方から見た脱落防止部材２０１を排除した斜視図である。
【図１３】（ａ）および（ｂ）は、本発明の第１の実施形態の上面図およびパンニング方向２０とチルティング方向２１に同角度ずつ傾斜した合成角度θｘｙに傾斜させた状態における光軸１０と直線１３を含む平面での断面図である。
【図１４Ａ】本発明の第１の実施形態の傾斜検出器と回転検出器を上方から見た斜視図である。
【図１４Ｂ】本発明の第１の実施形態のパンニング方向２０とチルティング方向２１に同角度ずつ傾斜した合成角度θｘｙに傾斜させた状態における傾斜検出器と回転検出器を上方から見た斜視図である。
【図１５】本発明の第２の実施形態の概略構成を示す分解斜視図である。
【図１６】本発明の第２の実施形態の詳細構成を示す分解斜視図である。
【図１７】本発明の第２の実施形態の上方から見た固定ユニットの斜視図である。
【図１８】本発明の第２の実施形態の固定ユニットと支持ボール５５の位置関係を示す分解斜視図である。
【図１９】（ａ）および（ｂ）は、本発明の第２の実施形態の固定ユニットの上面図および光軸１０とチルティング方向回転軸１１を含む平面での断面図である。
【図２０】（ａ）および（ｂ）は、本発明の第２の実施形態の固定ユニットの上面図および光軸１０と支持ボール５５の中心を含む平面での回転断面図である。
【図２１】（ａ）および（ｂ）は、本発明の第２の実施形態の上面図および光軸１０と支持ボール５５の中心を含む平面での回転断面図である。
【図２２】本発明の第３の実施形態のカメラユニットに設ける角速度センサーの配置を示す斜視図である。
【図２３】カメラユニットの実施形態を示すブロック図である。
【発明を実施するための形態】
【００７４】
（第１の実施形態）
以下、本発明によるカメラ駆動装置の第１の実施形態を説明する。
【００７５】
図１、図２は、本発明の第１の実施形態であるカメラ駆動装置１６５を示す分解斜視図であり、図３Ａ、図４Ａは、カメラ駆動装置１６５を斜め上方から見た斜視図である。図３Ｂ、図４Ｂは、一部の構成要素（カメラ部１００と脱落防止部材２０１）を取り除いた状態にあるカメラ駆動装置１６５を斜め上方から見た斜視図である。図５は、カメラ部１００に搭載するレンズの光軸１０方向から見た平面図である。図６Ａ、図６Ｂは、カメラ部１００とベース２００を取り除いた可動ユニットと駆動部を上方から見た斜視図である。図７は、上方から見た固定ユニットの斜視図である。図８は、固定ユニットの概略構成を示す分解斜視図である。図９（ａ）、（ｂ）は、カメラ駆動装置１６５の上面図および光軸１０とチルティング方向回転軸１２を含む平面での断面図である。図１０（ａ）、（ｂ）は、カメラ駆動装置１６５の上面図および光軸１０と直線１４を含む平面での断面図である。図１１（ａ）、（ｂ）は、カメラ駆動装置１６５の上面図および光軸１０と直線１３を含む平面での断面図である。図１２Ａは、パンニング方向２０およびチルティング方向２１に同角度ずつ傾斜した合成角度θｘｙに傾斜させた状態における上方から見た斜視図である。図１２Ｂは、パンニング方向２０とチルティング方向２１に同角度ずつ傾斜した合成角度θｘｙに傾斜させた状態における上方から見た脱落防止部材２０１を排除した斜視図である。図１３（ａ）、（ｂ）は、カメラ駆動装置１６５の上面図およびパンニング方向２０とチルティング方向２１に同角度ずつ傾斜した合成角度θｘｙに傾斜させた状態における光軸１０と直線１３を含む平面での断面図である。図１４Ａは、傾斜検出器と回転検出器を上方から見た斜視図である。図１４Ｂは、パンニング方向２０とチルティング方向２１に同角度ずつ傾斜した合成角度θｘｙに傾斜させた状態における傾斜検出器と回転検出器を上方から見た斜視図である。これらの図を参照してカメラ駆動装置１６５の主な構成を説明する。
【００７６】
カメラ駆動装置１６５は、カメラ部１００と、カメラ部１００を内蔵する可動ユニットと、可動ユニットを支持する固定ユニットとを備える。可動ユニットは、固定ユニットに対して、レンズの光軸１０を中心に回転するローリング方向２２、チルティング方向回転軸１１を中心に回転するチルティング方向２１およびパンニング方向回転軸１２を中心に回転するパンニング方向２０に自在に回転する。チルティング方向回転軸１１とパンニング方向回転軸１２とは互いに直交している。
【００７７】
このために、カメラ駆動装置１６５は、可動ユニットをパンニング方向２０およびチルティング方向２１へ傾斜させるための第１の駆動部と、固定ユニットに対してカメラ部１００をレンズの光軸１０を中心に回転するローリング方向２２に回転させるローリングク駆動部である第２の駆動部とを備える。
【００７８】
第１の駆動部は、パンニング駆動部およびチルティング駆動部を含む。パンニング駆動部は、上述した１対のパンニング駆動磁石４０１と、１対の１対のパンニング駆動コイル３０１と、１対のパンニング磁気ヨーク２０３とを含む。チルティング駆動部は、１対のチルティング駆動磁石４０２と、１対のチルティング駆動コイル３０２と、１対のチルティング磁気ヨーク２０４とを含む。ローリング駆動部は、１対のローリング駆動磁石４０５と、１対のローリング駆動コイル３０３と、１対のローリング磁気ヨーク２０５とを含む。第１の駆動部および第２の駆動部による可動ユニットの駆動については以下において詳細に説明する。
【００７９】
また、カメラ駆動装置１６５は、固定ユニットに対するカメラ部１００が搭載された可動ユニットの傾斜角度およびレンズの光軸１０回りの回転角度を検出するための検出器を備える。具体的には、可動ユニットの２次元の傾斜角度、つまり、パンニング方向２０およびチルティング方向２１の回転角度を検出するための第１の検出部と、レンズの光軸１０回りの傾斜角度を検出するための第２の検出部とを備える。第１の検出部は、第１の磁気センサー５０１と傾斜検出用磁石４０６とを含む。第２の検出部は、１対の第２の磁気センサー５０３と、１対の回転検出用磁石４０３とを含む。検出器については、以下において詳細に説明する。
【００８０】
図１、図２に示すように、カメラ部１００は、撮像素子（図示せず）と、撮像素子の撮像面に被写体像を結像させる光軸１０を有したレンズ（図示せず）と、レンズを保持するレンズ鏡筒（図示せず）とを含む。カメラ部１００には、カメラ部１００の出力信号を外部へ出力するための配線１１０が接続されている。配線１１０は、たとえば、フレキシブルプリント配線板（Flexible printed circuits、ＦＰＣと略される。フレキシブルプリント回路、フレキシブルプリント基板、フレキシブルプリントケーブルとも呼ばれる。）によって構成される。
【００８１】
固定ユニットはベース２００を含む。ベース２００は、可動ユニットの少なくとも一部が遊嵌する凹部２００Ｋを有する。本実施形態では、凹部２００Ｋの内側面は凹状円錐面２００Ａによって構成されている。凹部２００Ｋの内側面は、可動ユニットと点または線接触する限り、他の形状であってもよい。例えば、三角錐であってもよい。凹状円錐面２００Ａは摺動性が優れたプラスチック樹脂材料からなることが好ましい。ベース２００は、さらに開口部２００Ｐ、２００Ｔ、２００Ｒと、接触面２００Ｂ、２００Ｃと、回転規制面２００Ｅとを有する。
【００８２】
図７、図８に示すように、開口部２００Ｐ、２００Ｔ、２００Ｒにはそれぞれ１対のパンニング磁気ヨーク２０３にそれぞれ巻回された１対のパンニング駆動コイル３０１、１対のチルティング磁気ヨーク２０４にそれぞれ巻回された１対のチルティング駆動コイル３０２、１対のローリング磁気ヨーク２０５にそれぞれ巻回された１対のローリング駆動コイル３０３が挿入され、固定される。
【００８３】
好ましくは、ベース２００を含む固定ユニットは樹脂によって構成されている。さらに好ましくは、ベース２００を含む固定ユニットは、１対のパンニング磁気ヨーク２０３に巻回されたパンニング駆動コイル３０１、１対のチルティング磁気ヨーク２０４に巻回されたチルティング駆動コイル３０２および１対のローリング磁気ヨーク２０５に巻回されたローリング駆動コイル３０３と一体成型されている。また、これらの磁気ヨークに巻回された駆動コイルは、ベース２００の内側面、つまり、凹状円錐面２００Ａにおいて露出していないことが好ましい。
【００８４】
可動ユニットは可動部１０２を含む。可動部１０２は、カメラ部１００を内蔵可能であり、開口部１０２Ｈを有する壺形状を備える。可動部１０２は、凸状部分球面１０２Ｒを外形に有する。凸状部分球面１０２Ｒは、球面の少なくとも一部であればよく、球面全体であってもよい。凸状部分球面１０２Ｒは、球心７０を有する。凸状部分球面図９、図１０、図１１に示すように、可動部１０２の凸状部分球面１０２Ｒは、固定ユニットの凹状円錐面２００Ａと線接触している。
【００８５】
凸状部分球面１０２Ｒは、可動部１０２の外側全体を覆っている。より具体的には、可動部１０２は、球体の一部を切り取った形状を有し、切り取られた球体の残りの部分の表面が凸状部分球面１０２Ｒを構成している。カメラ部１００は、球体の一部を切り取ることによって形成される円形断面から球体の内部に向かって挿入されるように可動部１０２に設けられている。このため、凸状部分球面１０２Ｒの球心７０は、可動部１０２のほぼ中心に位置しており、カメラ部１００の内部に位置している。図２に示すように、凸状部分球面１０２Ｒには回転規制突起部１０２Ｔが設けられていてもよい。またカメラ部１００に接続された配線１１０を可動ユニットにおいて位置決めするため、可動部１０２に、配線１１０の一部が挿入される凹部を有する切り欠き部１０２Ｓが設けられていてもよい。
【００８６】
可動ユニットには、傾斜検出用磁石４０６と、１対の回転検出用磁石４０３と、１対のパンニング駆動磁石４０１と、１対のチルティング駆動磁石４０２と、１対のローリング駆動磁石４０５とが設けられる。配線凸状部分球面１０２Ｒに露出することがないよう、搭載する検出用磁石や駆動磁石は開口部１０２Ｈから可動部１０２の内側に配置されることが好ましい。また傾斜検出用磁石４０６は、可動部１０２の底部の光軸１０上に配置される。可動部１０２は、好ましくは摺動性が優れた樹脂によって構成される。さらに好ましくは、可動部１０２と傾斜検出用磁石４０６と１対の回転検出用磁石４０３と１対のパンニング駆動磁石４０１と１対のチルティング駆動磁石４０２と１対のローリング駆動磁石４０５とが一体成型化されている。
【００８７】
図９、図１０に示すように、ベース２００の内側に設けられているパンニング磁気ヨーク２０３、チルティング磁気ヨーク２０４およびローリング磁気ヨーク２０５は磁性体からなるため、それぞれに対向するように可動部１０２の内側に設けられたパンニング駆動磁石４０１、チルティング駆動磁石４０２およびローリング駆動磁石４０５は吸着用磁石として機能し、これらの間にそれぞれ磁気吸引力が発生する。具体的には、パンニング磁気ヨーク２０３とパンニング駆動磁石４０１から磁気吸引力Ｆ１を、チルティング磁気ヨーク２０４とチルティング駆動磁石４０２から磁気吸引力Ｆ１を、ローリング磁気ヨーク２０５とローリング駆動磁石４０５から磁気吸引力Ｆ３を得る。
【００８８】
従って、これら磁気吸引力Ｆ１、Ｆ３は、たがいに接触する可動ユニットの凸状部分球面１０２Ｒと固定ユニットの凹状円錐面２００Ａとの垂直抗力となり、かつ光軸１０方向の合成ベクトルとして磁気吸引力Ｆ２、Ｆ４を得る。
【００８９】
この磁気吸引力Ｆ２、Ｆ４により、ベース２００の凹状円錐面２００Ａと可動部１０２の凸状部分球面１０２Ｒの部分球面とが接触ポイント１０２Ｐで線接触しながら、可動部１０２が球心７０を中心として自在に回転する。言い換えれば、接触ポイント１０２Ｐが光軸１０を中心とする円周状に連続する線接触の状態で可動ユニットは固定ユニットに支持される。
【００９０】
これらの可動ユニットの支持構成により、光軸１０に直交し、球心７０を通るパンニング方向回転軸１２を中心に回転するパンニング方向２０と、光軸１０およびパンニング方向回転軸１２に直交するチルティング方向回転軸１１を中心に回転するチルティング方向２１の２種類の傾斜方向の回転と、レンズ光軸１０を中心に回転するローリング方向２２の回転を行うことができる。
【００９１】
特に、可動部１０２が球体の一部を切り取った形状を備えているため、球心７０は、可動部１０２の中心かつ重心の位置と一致する。このため、可動ユニットは、パンニング方向２０、チルティング方向２１およびローリング方向２２に、いずれもほぼ等しいモーメントで回転し得る。その結果、可動ユニットが、パンニング方向２０、チルティング方向２１およびローリング方向２２にどのように回転した状態であっても、常にほぼ同じ駆動力でパンニング方向２０、チルティング方向２１およびローリング方向２２へさらに回転させることが可能であり、可動ユニットを常に高い精度で駆動することが可能となる。
【００９２】
また、球心７０、つまり、可動ユニットの回転中心と、可動ユニットの重心とが一致するため、可動ユニットがパンニング方向２０、チルティング方向２１およびローリング方向２２に回転するモーメントは非常に小さい。このため、小さな駆動力で可動ユニットを中立状態に維持したり、パンニング方向２０、チルティング方向２１およびローリング方向２２に回転させたりすることができる。このため、カメラ駆動装置の消費電力を低減させることができる。特に可動ユニットを中立状態で維持するための必要な駆動電流をほとんどゼロにすることも可能である。
【００９３】
このように、本実施形態によれば、カメラ部１００を内蔵可動ユニットは、重心位置である球心７０において集中的に支持される。従って、摩擦による負荷の低減や駆動周波数領域において機械的共振を大幅に抑圧することができる。
【００９４】
また、パンニング駆動磁石４０１とチルティング駆動磁石４０２とローリング駆動磁石４０５は、回動角度に影響されることなく、一定の磁気吸引力で、凹状円錐面２００Ａと凸状部分球面１０２Ｒとの間に一定の垂直抗力を分散的に付加する。このため、回動角度による摩擦負荷の変動を抑制し、駆動周波数領域において良好な位相・ゲイン特性を実現できる。
【００９５】
また凹状円錐面２００Ａを有するベース２００と凸状部分球面１０２Ｒを有する可動部１０２をプラスチックなどの樹脂部材により構成すれば、接触する凹状円錐面２００Ａと凸状部分球面１０２Ｒの摩擦をさらに低減させることが可能であり、耐摩耗性に優れた支持構造を実現できる。
【００９６】
カメラ駆動装置１６５は、好ましくは、可動ユニットが固定ユニットから脱落しないように可動ユニットの移動を制限する脱落防止部材２０１を含む。脱落防止部材２０１は、脱落防止用規制面２０１Ａを有し、可動ユニットが固定ユニットから離れるように移動した場合、可動ユニットの可動部１０２と脱落防止用規制面２０１Ａとが当接することによって可動ユニットの移動を制限する。図９、図１０に示すように、可動部１０２が球心７０に対して全可動範囲で自在に回動可能になるように、所定の空隙５０が可動部１０２の凸状部分球面１０２Ｒと脱落防止部材２０１の脱落防止用規制面２０１Ａとの間に設けられている。
【００９７】
好ましくは、脱落防止用規制面２０１Ａは、可動部１０２の凸状部分球面１０２Ｒの球心７０と一致した中心を有する凹状部分球面を有する。脱落防止部材２０１はベース２００の接触面２００Ｂに固定されている。凸状部分球面１０２Ｒと脱落防止用規制面２０１Ａとの間には、可動部１０２の凸状部分球面１０２Ｒが接触ポイント１０２Ｐで固定ユニットの凹状円錐面２００Ａに接触した状態で空隙５０が生じている。また、脱落防止用規制面２０１Ａは、それぞれ、レンズの光軸１０に対して対称に配置されている。なお、固定ユニットに設けられる構成要素について、「光軸１０に対して対称」とは、可動ユニットが中立状態、つまり可動ユニットが固定ユニットに対して傾斜してない状態における光軸１０を基準としている。
【００９８】
この空隙５０は、可動部１０２の凸状部分球面１０２Ｒが凹状円錐面２００Ａから離間しても、磁気吸引力Ｆ１ならびにＦ３により凸状部分球面１０２Ｒが凹状円錐面２００Ａと接触ポイント１０２Ｐで接触する状態へ戻ることが可能な距離に設定されている。
【００９９】
つまり、可動ユニットが上方へ空隙５０に等しい距離だけ移動し、脱落防止用規制面２０１Ａと凸状部分球面１０２Ｒとが接触した状態においても、磁気吸引力Ｆ１ならびにＦ３により可動ユニットは、凸状部分球面１０２Ｒが凹状円錐面２００Ａと接触する元の状態へ戻ることができる。
【０１００】
このため、本実施形態によれば、たとえ可動ユニットが瞬間的に所定の位置から脱落した場合においても磁気吸引力Ｆ１およびＦ３により、即座に元の良好な支持状態に復帰することのできる耐衝撃性に優れたカメラ駆動装置を提供できる。
【０１０１】
次に、可動ユニットを駆動するための構造を詳細に説明する。
【０１０２】
可動部１０２には、可動ユニットをパンニング方向２０に回転駆動するために、１対のパンニング駆動磁石４０１が光軸１０に対して対称に配置され、可動ユニットをチルティング方向２１に回転駆動するために、１対のチルティング駆動磁石４０２が光軸１０に対して対称に配置されている。また、可動ユニットをローリング方向２２に回転駆動するために１対のローリング駆動磁石４０５が光軸１０に対して対称に配置されている。
【０１０３】
パンニング駆動磁石４０１は、チルティング方向回転軸１１方向に磁束を有するように１極に着磁されており、同様にチルティング駆動磁石４０２は、パンニング方向回転軸１２方向に磁束を有するように１極に着磁されている。
【０１０４】
上述したように、１対のパンニング磁気ヨーク２０３およびチルティング磁気ヨーク２０４が、１対のパンニング駆動磁石４０１および１対のチルティング駆動磁石４０２にそれぞれ対向するように、光軸１０を中心としたベース２００の円周上にそれぞれ設けられている。
【０１０５】
図５から図８に示すように、チルティング方向回転軸１１方向にベース２００に配置された１対のパンニング磁気ヨーク２０３のそれぞれには、パンニング磁気ヨーク２０３を巻回するパンニング駆動コイル３０１が設けられ、同様にチルティング方向回転軸１１に直交するパンニング方向回転軸１２方向に配置された１対のチルティング磁気ヨーク２０４のそれぞれには、チルティング磁気ヨーク２０４を巻回するチルティング駆動コイル３０２が設けられている。また１対のローリング磁気ヨーク２０５は、チルティング方向回転軸１１およびパンニング方向回転軸１２に対して４５度をなす直線１４の線上において光軸１０に対して対称となるようにベース２００に配置され、それぞれのローリング磁気ヨーク２０５を巻回するローリング駆動コイル３０３が設けられている。
【０１０６】
言い換えれば、光軸１０を中心とする円周上に、パンニング方向２０、チルティング方向２１およびローリング方向２２の駆動部がそれぞれ独立に分散して配置されている。
【０１０７】
このような構造によれば、パンニング磁気ヨーク２０３とパンニング駆動磁石４０１との間の磁気ギャップ、チルティング磁気ヨーク２０４とチルティング駆動磁石４０２との間の磁気ギャップおよびローリング磁気ヨーク２０５とローリング駆動磁石４０５の磁気ギャップを均等に設けることができる。このため、それぞれの磁束密度を均等に向上させることができ、パンニング方向２０、チルティング方向２１およびローリング方向２２への駆動効率が大幅に改善される。
【０１０８】
次に、傾斜および回転駆動部の光軸１０方向の高さ配置構成について説明する。
【０１０９】
図９に示すように、ベース２００に固定されるチルティング磁気ヨーク２０４に巻回されたチルティング駆動コイル３０２の巻回中心軸４０、４１と垂直であり、球心７０およびチルティング駆動コイル３０２の中心を通る直線３０、３１は、光軸１０に垂直であり、球心を通る水平面Ｐに対して、下方に４５度以下の傾斜角度θAをなしている。また、１対のチルティング駆動磁石４０２は、１対のチルティング駆動コイル３０２に対向するよう可動ユニットに傾斜して配置されている。
【０１１０】
図示しないが、ベース２００に固定されるパンニング磁気ヨーク２０３に巻回されたパンニング駆動コイル３０１の巻回中心軸と垂直であり、球心７０およびパンニング駆動コイル３０１の中心を通る直線も、光軸１０に垂直であり、球心を通る水平面Ｐに対して、下方に４５度以下の傾斜角度θAをなしている。また、１対のパンニング駆動磁石４０１も、１対のパンニング駆動コイル３０１に対向するよう可動ユニットに傾斜して配置されている。
【０１１１】
また図１０に示すように、ベース２００に固定されるローリング磁気ヨーク２０５に巻回されたローリング駆動コイル３０３と、ローリング駆動コイル３０３の巻回中心軸４２、４３と垂直であり、球心７０およびローリング駆動コイル３０３の中心を通る直線３２、３３は、光軸１０に垂直であり、球心を通る水平面Ｐに対して、下方に４５度以下の傾斜角度θBをなしている。１対のローリング駆動磁石４０５は、１対のローリング駆動コイル３０３に対向するよう可動ユニットに傾斜して配置されている。
【０１１２】
また、図９に示すように、巻回中心軸４０、４１が、図７、図８に示すチルティング磁気ヨーク２０４およびチルティング駆動コイル３０２をベース２００に挿入するための１対の開口部２００Ｔの中心線となる。図示しないが、パンニング磁気ヨーク２０３およびパンニング駆動コイル３０１を挿入するための１対の開口部２００Ｐの中心線もパンニング駆動コイル３０１の巻回中心軸と一致する。
【０１１３】
また、図１０に示すように、パンニング方向回転軸１２とチルティング方向回転軸１１と４５度をなす直線１４と光軸１０を含む平面において、ローリング駆動コイル３０３の巻回中心軸４２および直線３２に直交する直線４７ならびに巻回中心軸４２および直線３３に直交する直線４８が、図７、図８に示すローリング磁気ヨーク２０５およびローリング駆動コイル３０３をベース２００に挿入するための１対の開口部２００Ｒの中心線となる。
【０１１４】
上述したように、傾斜角度θA、θBを４５度以下に設定することにより、固定ユニットの高さを小さくし、装置の省スペースと低背化を実現できる。好ましくは、傾斜角度θA、θBは２０度程度である。
【０１１５】
１対のパンニング駆動コイル３０１に通電することにより、１対のパンニング駆動磁石４０１は偶力の電磁力を受け、可動部１０２、つまり可動ユニットは、パンニング方向回転軸１２を中心にパンニング方向２０に回転駆動される。同様に、１対のチルティング駆動コイル３０２に通電することにより、１対のチルティング駆動磁石４０２は偶力の電磁力を受け、可動ユニットは、チルティング方向回転軸１１を中心にチルティング方向２１に回転駆動される。
【０１１６】
さらにパンニング駆動コイル３０１およびチルティング駆動コイル３０２に同時に通電することにより、カメラ部１００が搭載された可動ユニットを２次元的に傾斜させることができる。図１２Ａ、図１２Ｂおよび図１３は、パンニング駆動コイル３０１およびチルティング駆動コイル３０２に同時に同等の電流を通電することにより、パンニング方向２０およびチルティング方向２１に同角度ずつ傾斜し、結果としてパンニング方向２０とチルティング方向２１と４５度をなす直線１３方向に合成角度θｘｙに傾斜した状態を示したものである。
【０１１７】
またローリング駆動コイル３０３に通電することにより、１対のローリング駆動磁石４０５は偶力の電磁力を受け、可動ユニットは、光軸１０を中心にローリング方向２２に回転駆動される。
【０１１８】
このように、本実施形態は、可動ユニットにパンニング駆動磁石４０１、チルティング駆動磁石４０２およびローリング駆動磁石４０５を設けたムービングマグネット駆動方式を採用している。この構成では、一般的に可動ユニットの重量が増大するという問題が考えられる。しかし、この構成によれば、可動ユニットへの駆動用配線の懸架は不必要となり、カメラ部１００の駆動用信号と出力信号のみを可動ユニットと外部との間で伝送するだけでよい。また、可動ユニットの重心と可動ユニットの回動中心点とが一致しているため、駆動磁石を搭載することにより重量が増大しても、可動ユニットの回転モーメントはさほど増大しない。このため、本実施形態によれば、重量の増大による課題を抑制しつつ、ムービングマグネット駆動方式による利点を享受できる。
【０１１９】
次に、カメラ部１００の駆動信号および出力信号の伝送手段について説明する。
【０１２０】
図６Ａ、図６Ｂ、図１１および図１３に示すように、伝送手段として光軸１０を中心にパンニング方向２０とチルティング方向２１と４５度をなす直線１３方向に対称配置された１対の配線１１０を有している。
【０１２１】
具体的には、図１、図２に示すように、ベース２００の接触面２００Ｃに、配線１１０を狭持して位置決めする第１の固定ホルダ１２０を固定する。さらに第１の固定ホルダ１２０の傾斜面１２０Ａ（図１、図２参照）は、図１１、図１３に示すように、光軸１０に直交し、かつ球心７０を含む水平面から下方に傾斜角度θD傾斜した直線３４、３５と直交する直線４４、４５の直線に平行な角度を有するように傾斜している。傾斜角度θDは傾斜角度θA、θBと等しいことが好ましい。
【０１２２】
この傾斜面１２０Ａに配線１１０の裏面が接着等で固定されている。好ましくは、以下において説明するように、カメラ駆動装置は第２の磁気センサー５０３を備え、傾斜面１２０Ａにおいて配線１１０の表面に第２の磁気センサー５０３を配置する。これにより、第２の磁気センサー５０３が直線４４、４５に平行な角度で固定される。
【０１２３】
可動部１０２に設けられた回転検出用磁石４０３は傾斜面１２０Ａに固定された第２の磁気センサー５０３と、平行かつ対向するように第２の磁気センサー５０３から所定の間隙を隔てて可動部１０２に配置される。
【０１２４】
第２の固定ホルダ１３０をベース２００の接触面２００Ｃに固定することにより、第１の固定ホルダ１２０の傾斜面１２０Ｂ（図１、図２参照）と第２の固定ホルダ１３０で配線１１０を狭持して配線１１０が位置決めされる。
【０１２５】
これにより傾斜角度θDに沿うように、配線１１０は下方へ曲げられ、図１３に示すように可動ユニットが傾斜角度θxyで傾斜した状態においても配線１１０は緩やかな曲げ曲線を描くことが可能となり、配線１１０の屈曲バネ特性による可動部１０２への反作用低減が実現できる。
【０１２６】
さらに図１３に示すように第２の固定ホルダ１３０は、可動部１０２の凸状部分球面１０２Ｒには接触しないようにベース２００に固定される。しかし、可動ユニットが目標仕様の傾斜角度以上に傾斜した場合には可動１０２に設けられた１対の回転規制突起部１０２Ｔは第２の固定ホルダ１３０と接触し、それ以上可動ユニットが傾斜しないよう設けられている。
【０１２７】
なお可動ユニットの光軸１０を中心とするローリング方向２２の回転角度規制に関しては、可動１０２に設けられた１対の回転規制突起部１０２Ｔが、ベース２００の回転規制面２００Ｅ（図１参照）もしくは脱落防止部材２０１の回転規制面２０１Ｂ（図１参照）に接触することで実現される。
【０１２８】
またムービングマグネット駆動方式においては、パンニング駆動コイル３０１、チルティング駆動コイル３０２、ローリング駆動コイル３０３の発熱をパンニング磁気ヨーク２０３、チルティング磁気ヨーク２０４、ローリング磁気ヨーク２０５を介してベース２００によって冷却できるという大きな利点がある。さらに、パンニング方向２０およびチルティング方向２１への傾斜角度と、ローリング方向２２の回転角度とを１０度以上にする上では、可動ユニットを小型化、軽量化できる点で有利である。一方、ムービングコイル駆動方式では駆動コイルがあまりにも肥大化し、可動ユニットの重量が増加する可能性がある。
【０１２９】
このように、本実施形態によれば、カメラ部１００、可動部１０２、可動部１０２に設けられた凸状部分球面１０２Ｒ、脱落防止用規制面２０１Ａ、ベース２００の凹状円錐面２００Ａ、傾斜用駆動部および回転用駆動部、傾斜検出用磁石４０６、回転検出用磁石４０３の中心軸が、すべて支持中心であり駆動中心でもある球心７０を通るように構成でされている。
【０１３０】
従って、可動ユニットの重心が球心７０と一致し、可動ユニットを重心で支持するとともに、重心を通り互いに直交する３軸回りの回転駆動を実現することができる。また、可動ユニットの脱落を防止することができる。
【０１３１】
カメラ駆動装置１６５は、可動ユニットの振幅増大係数（Ｑ値）を低減するため、粘性部材（図示せず）を備えていてもよい。この場合、図９、図１０に示すように、可動１０２の凸状部分球面１０２Ｒと脱落防止部材２０１の脱落防止用規制面２０１Ａとの間に粘性部材を設ける。これにより、可動ユニットに設けられるパンニング駆動磁石４０１、チルティング駆動磁石４０２およびローリング駆動磁石４０５とベース２００に設けられたパンニング磁気ヨーク２０３、チルティング磁気ヨーク２０４およびローリング磁気ヨーク２０５との間に発生する傾斜および回転角度に対して発生する磁気吸引力変動の磁気バネ効果による振動の振幅増大係数（Ｑ値）や機械的な固有振動のＱ値を低減でき、良好な制御特性を得ることができる。
【０１３２】
さらに、可動ユニットの全可動範囲において、可動部１０２の凸状部分球面１０２Ｒのうち、接触ポイント１０２Ｐの軌跡が存在しない領域の表面に凸凹状形状（図示せず）を設けてもよい。凸凹状形状によって粘性部材との接触面積が拡大し、粘性抵抗の増大を図ることができ、大幅な粘性減衰特性の向上を実現できる。
【０１３３】
次に可動ユニットの傾きや回転の検出について説明する。まず、可動ユニットのパンニング方向２０およびチルティング方向２１における可動ユニットの傾斜角度の検出について詳細に説明する。
【０１３４】
図１、図２、図１４Ａ、図１４Ｂに示すように、可動ユニットの傾斜角度を検出するために、カメラ駆動装置１６５は第１の検出部である第１の磁気センサー５０１を備える。第１の磁気センサー５０１は、２軸周りの傾きあるいは回転を検出可能であり、光軸１０方向に１極に着磁された傾斜検出用磁石４０６に対向するように配置され、回路基板５０２を介して開口部２００Ｈに挿入し、ベース２００に固定されている。
【０１３５】
第１の磁気センサー５０１の内部には、光軸１０を中心にホール素子（図示せず）がチルティング方向回転軸１１およびパンニング方向回転軸１２上にそれぞれ１対ずつ対称に配置されている。第１の磁気センサー５０１は、可動ユニットのパンニング方向２０およびチルティング方向２１における傾斜動作によって生じる傾斜検出用磁石４０６の磁力変化を２軸成分としてそれぞれ差動検出し、パンニング傾斜角度およびチルティング傾斜角度を算出することができる。
【０１３６】
このように、本実施形態によれば、傾斜検出用磁石４０６と球心７０との間隔を短くでき、傾斜角度に対して傾斜検出用磁石４０６の移動を小さくできることから第１の磁気センサー５０１の小型化が可能である。
【０１３７】
なお、本実施形態では、第１の検出部は、第１の磁気センサー５０１と傾斜検出用磁石４０６を含んでいたが、他の構成によって第１の検出部を構成してもよい。例えば、第１の検出部は、光軸１０上において、固定ユニットに設けられた光センサーと、可動ユニットに設けられた光検出パターンとを含んでいてもよい。可動ユニットが傾斜することにより、光検出パターンが傾斜するため、光センサに入射する光が変化する。光センサーがこの光の変化を検出することにより、パンニングおよびチルティング方向の２次元の傾斜角度を算出することも可能である。
【０１３８】
図１４Ａ、図１４Ｂは、可動ユニットの光軸１０回りの回転角度を検出するための第２の検出部である第２の磁気センサー５０３の配置を示す斜視図である。上述したように第２の検出部は、１対の第２の磁気センサー５０３と、１対の回転検出用磁石４０３とを含む。光軸１０に直交し、チルティング方向回転軸１１またはパンニング方向回転軸１２に対して４５度をなす直線１３と光軸１０を含む平面において、下方に傾斜角度θD傾斜した直線３４、３５の直線上に１対の回転検出用磁石４０３が光軸１０に対して対称に可動１０２に配置されている。
【０１３９】
１対の回転検出用磁石４０３は、光軸１０と直交する平面において、光軸１０を中心とする円の円周方向にそれぞれ２極に分割着磁されており、１対の回転検出用磁石４０３における磁極は、球心７０を通る方向に着磁され、互いに異極となるように配置されている。また１対の回転検出用磁石４０３の２極分割着磁の中心境界上に対向するように２つの第２の磁気センサー５０３が配線１１０を介して第１の固定ホルダ１２０の傾斜面１２０Ａに固定されている。
【０１４０】
ローリング方向２２に可動ユニットが回転した場合、１対の回転検出用磁石４０３の磁極が移動することによって生じる急峻な磁気変化を第２の磁気センサー５０３が差動検出する。これにより、可動ユニットの光軸１０周りの回転角度を高精度で検出することができる。
【０１４１】
また、図１４Ｂに示すように、パンニング方向２０およびチルティング方向２１に可動ユニットの可動部１０２が傾斜した場合、ローリング方向２２へのクロストーク出力が発生し得る。しかし、このクロストーク出力は、第２の磁気センサー５０３が、１対の回転検出用磁石４０３による磁気を差動検出することによって得られる出力を用いてキャンセルすることができる。従って、可動ユニットの傾斜可能な範囲においてローリング方向２２の回転角度のみを正しく抽出して検出することができる。
【０１４２】
このように、本実施形態のカメラ駆動装置によれば、カメラ部のレンズの光軸上に、可動ユニットの可動部に設けられた凸状部分球面の球心と、固定ユニットの凹状円錐面の中心軸を配置する。これにより、可動ユニットを重心で支持する構成が実現し、駆動周波数領域において機械的共振を大幅に抑制することができる。
【０１４３】
また、固定部の凹状円錐面と可動ユニットの凸状部分球面とによって構成されるピポッド構成において、可動ユニットの回動角度に影響を受けにくい磁気吸引力によって、一定の垂直抗力を付加することができるため、回動角度による摩擦負荷変動を低減し、駆動周波数領域において良好な位相・ゲイン特性を実現できる。
【０１４４】
また、従来、磁気吸引力による支持構造に特有の大きな課題であった振動・衝撃等の外乱等による可動ユニットの脱落を防止するため、固定ユニットに設けられた脱落防止部材に回動可能な所定の空隙を介して脱落防止規制面を設けている。このため装置の大型化を回避しながら確実に可動ユニットの脱落防止を実現できる。
【０１４５】
さらに、脱落防止規制面は、球心を中心とする凹状の球面を有し、かつレンズの光軸に対称に配置されるため、可動ユニットが回動する全範囲に対して最小面積で脱落防止規制面を設けることができ、装置の小型化を実現できる。
【０１４６】
また、可動ユニットの凸状部分球面が固定ユニットの脱落防止規制面に当接する状態まで可動ユニットが脱落した場合でも、磁気吸引力によって、可動ユニットの凸状部分球面と固定ユニットの凹状円錐面とが再び接触することができるように脱落防止規制面の位置が決定されている。このため、たとえ可動ユニットが瞬間的に脱落した場合においても即座に元の良好な支持状態に復帰できる極めて耐衝撃性に優れたカメラ駆動装置を提供できる。
【０１４７】
また、パンニング、チルティングおよびローリング方向の駆動部は、光軸と垂直な平面上において直交する２つの線上にそれぞれ配置され、可動ユニットに固定された２対の駆動磁石と、２対の駆動磁石に対向するように光軸を中心とする円周状に固定ユニットにそれぞれ配設された２対の駆動コイルとから構成される。
【０１４８】
これらが配置される光軸方向の高さ位置は、球心を含む水平面より下方に傾斜した高さ位置に配置される。このため可動ユニットの重心を球心中心で駆動することができ、かつ低背化が可能となる。
【０１４９】
また、可動部とベースを樹脂材料にするかもしくは凸状部分球面と凹状円錐面の表面部分を樹脂部材で被覆することで、低摩擦で耐摩耗性に優れた支持構造が実現する。
【０１５０】
また、可動ユニットの凸状部分球面と脱落防止規制面で形成れる空隙に粘性部材を充填することにより、可動ユニットに設けられた駆動磁石と固定ユニットに設けられた磁気ヨークとの間に発生する磁気吸引力変動に起因する磁気バネ効果による振動の振幅増大係数（Ｑ値）や機械的な固有振動のＱ値を低減することができ、良好な制御特性を得ることができる。
【０１５１】
また、光軸と垂直な平面において光軸の位置を中心とする円周方向に互いに逆向きに着磁された１対の回転検出磁石を可動ユニット部に設け、磁気変化を固定ユニットに設けた第２の磁気センサーによって検出する。この検出出力を用いて、パンニングとチルティング方向に可動ユニットを回動した場合に発生するクロストーク出力をキャンセルすることができるため、可動ユニットの回動可能な範囲でローリング方向の角度のみを抽出して検出することができる。
【０１５２】
また、固定ユニットには、１対の第２の磁気センサーがチルティング方向回転軸またはパンニング方向回転軸に対して４５度をなす直線上に配置される。このため、光軸を中心とした円周上に駆動部と第２の磁気センサーを配置することができ、装置の小型化を実現することができる。
【０１５３】
従って、本実施形態のカメラ駆動装置によれば、例えば、パンニング方向およびチルティング方向に±１０度以上の大きな角度で可動ユニットを傾斜させ、また、ローリング方向に±１０度以上の大きな角度で可動ユニットを回転させることができる。また、５０Ｈｚ程度までの広帯域の周波数領域で良好な振れ補正制御を実現できる。その結果、カメラ部の高速パンニング・チルティング・ローリング動作を実現するとともに、歩行撮影時の手振れで発生する撮影画像の像振れを補正することのできるカメラ駆動装置が実現する。また、小型で堅牢な脱落防止構造を備えるため、振動や落下衝撃等の外部からの衝撃に対する耐衝撃性の強いカメラ駆動装置が実現する。
【０１５４】
（第２の実施形態）
以下、本発明によるカメラ駆動装置の第２の実施形態を説明する。
【０１５５】
図１５は、第２の実施形態であるカメラ駆動装置１６６の概略構成を示す分解斜視図であり、図１６は、第２の実施形態であるカメラ駆動装置１６６の詳細構成を示す分解斜視図である。図１７は、第２の実施形態であるカメラ駆動装置１６６の上方から見た固定ユニットの斜視図である。図１８は、固定ユニットと支持ボール５５の位置関係を示す分解斜視図である。図１９（ａ）、（ｂ）は、固定ユニットの上面図および光軸１０とチルティング方向回転軸１１を含む平面での断面図である。図２０（ａ）、（ｂ）は、固定ユニットの上面図および光軸１０と支持ボール５５の中心を含む平面での固定ユニットの回転断面図である。図２１（ａ）、（ｂ）は、カメラ駆動装置１６６の上面図および光軸１０と支持ボール５５の中心を含む平面での回転断面図である。これらの図において第１の実施形態と同じ構成要素には同じ参照符号を付している。
【０１５６】
図１５、図１６に示すように、カメラ駆動装置１６６は、ローリング方向２２に可動ユニットを回転駆動させる専用の回転駆動部を備えていない点で、第１の実施形態のカメラ駆動装置１６５と異なる。
【０１５７】
さらに、専用の回転駆動部を設けない構成により要素部品の構成スペースに余裕が確保することができ、この余裕スペースを利用して、可動部１０２の凸状部分球面１０２Ｒと固定ユニットとの間に発生する摩擦を最大化に低下させるため、固定ユニットが、ベース２００の凹部２００Ｋ内に位置する少なくとも３つの凸状部分球面を有する点で、第１の実施形態のカメラ駆動装置１６５と異なる。
【０１５８】
図１７に示すように、カメラ駆動装置１６６は、可動ユニットをローリング方向２２に回転させるため、ローリング磁気ヨークとして１対のパンニング磁気ヨーク２０３と１対のチルティング磁気ヨーク２０４を併用し、それらを巻回する４個のローリング駆動コイル３０４を備える。またローリング駆動磁石として１対のパンニング駆動磁石４０１と１対のチルティング駆動磁石４０２を併用する。
【０１５９】
言い換えれば、第１の実施形態における可動部１０２に搭載されたローリング駆動磁石４０５とベース２００に設けられたローリング磁気ヨーク２０５およびローリング駆動コイル３０３を備えておらず、開口部２００Ｒも有していないシンプルな構成となっている。
【０１６０】
さらに図１７に示すようにローリング駆動コイル３０４は、１対のパンニング磁気ヨーク２０３と１対のチルティング磁気ヨーク２０４にパンニング駆動コイル３０１およびチルティング駆動コイル３０２のコイル巻回方向に対して直交するように積層巻回された十字巻き構成を有し、それぞれベース２００の開口部２００Ｐ、２００Ｔに挿入固定される。これにより、固定ユニットの省スペース化、小型化および部品点数削減を実現できる。
【０１６１】
次に図１８から図２１を用いて、可動部１０２の凸状部分球面１０２Ｒと固定ユニットとの間に発生する摩擦を大きく低減させるための構造を説明する。カメラ駆動装置１６６において、固定ユニットは、ベース２００の凹部２００Ｋ内に少なくとも３つの凸状部分球面を有する。本実施形態では、３つの凸状部分球面を３個の支持ボール５５によって実現する例を説明する。しかし、本実施形態の特徴は、ベース２００の凹部２００と可動部１０２の凸状部分球面１０２Ｒとを少なくとも３つの点接触によって支持することにあり、この支持を実現するための具体的な構造は支持ボールに限られない。例えば、樹脂などによって構成される３つの凸状部分球面を有する凸部によって実現することも可能である。
【０１６２】
図１８に示すように、ベース２００の内側には第１の実施形態の凹状円錐面２００Ａと同じ傾斜角度を有するが凸状部分球面１０２Ｒとは接触しない凹状円錐面２００Ｊと、凹状円錐面２００Ｊと傾斜角度が異なる凹状円錐面２００Ｇの２つの円錐面が構成されている。
【０１６３】
図１９、図２０に示すようにベース２００には、光軸１０に直交し、かつ可動部１０２の凸状部分球面１０２Rの球心７０を含む水平面より下方に傾斜角度θC傾斜した直線３８、３９、６０、６１に直交する傾斜角度を有する凹状円錐面２００Ｇが追加されている。傾斜角度θCは例えば４５度であり、に構成されている。
【０１６４】
さらに凹状円錐面２００Ｇの領域において、光軸１０の方向から見てパンニング方向回転軸１２とチルティング方向回転軸１１と４５度をなす直線１４を起点として角度θbを隔てて３つの円錐部２００Fが凹状円錐面２００Ｇに配設されている。円錐部２００Fは円錐状の内側面を有する。可動ユニットを均等に支持するためには、角度θbは１２０度であることが好ましい。
【０１６５】
３つの円錐部２００F内には、３個の支持ボール５５がそれぞれ挿入され、内側面と線接触している。支持ボール５５は凹状円錐面２００Ｇおよび凹状円錐面２００Ｊより突出している。３つの支持ボール５５はそれぞれ凸状部分球面を有しており、可動部１０２の凸状部分球面１０２Ｒと３つの接触ポイント１０２Ｐで接触する。
【０１６６】
図２０に示すように、各支持ボール５５の凸状部分球面の球心、つまり、各支持ボール５５の球心と可動部１０２の凸状部分球面１０２Ｒの球心７０とを結ぶ直線６０、６１は、光軸１０に垂直であり、凸状部分球面１０２Ｒの球心７０を通る水平面Ｐに対して、下向きに傾斜角度θCをなしている。傾斜角度θCは３０度から６０度が好ましく４５度であることがより好ましい。
【０１６７】
これにより可動部１０２は、固定ユニットに対してと３点のみで支持されるとともに支持ボール５５が回転可能となることで、可動ユニットと固定ユニットとの間に発生する摩擦を最大限に低減でき、極めて良好な可動ユニットの動特性を得ることができる。
【０１６８】
さらに図２１に示すように、ローリング磁気ヨークとして併用するベース２００の内側に挿入されているパンニング磁気ヨーク２０３とチルティング磁気ヨーク２０４は磁性体からなるため、それぞれに対向するように可動部１０２の内側に設けられたローリング駆動磁石として併用するパンニング駆動磁石４０１、チルティング駆動磁石４０２との間にそれぞれ磁気吸引力Ｆ５が発生する。磁気吸引力Ｆ５は、可動ユニットの凸状部分球面１０２Ｒと３つの支持ボール５５との垂直抗力となり、かつ光軸１０方向の合成ベクトルとして磁気吸引力Ｆ４を得る。
【０１６９】
このように第１の実施形態と比較して、可動ユニットを固定ユニットに対して３点のボール支持が可能となり、かつ支持ボール５５が光軸１０を中心に１２０度の角度間隔で均等に配設されていることから極めて安定な支持構成で極めた優れた動特性を実現できる。特に傾斜角度θCを４５度程度にすることにより、磁気吸引力Ｆ４によって、支持ボール５５とベース２００の円錐部２００Fとの円周状線接触部分が受ける力が均一となるため、可動ユニットと固定ユニット間との摩擦係数をより低減できる。
【０１７０】
なお３つの支持ボール５５は、脱落防止部材２０１の脱落防止規制面２０１Ａにより、カメラ駆動装置１６６に衝撃が加わった場合においても脱落しないことはいうまでもない。
【０１７１】
さらに第１の実施形態における可動部１０２に搭載されたローリング駆動磁石４０５とベース２００に設けられたローリング磁気ヨーク２０５とローリング駆動コイル３０３は排除されるため、部品点数の大幅な削減を図ることができる。
【０１７２】
従って、本発明の第２の実施形態のカメラ駆動装置によれば、例えば、パンニング方向およびチルティング方向に±１０度以上の大きな角度で可動ユニットを傾斜させ、また、ローリング方向に±１０度以上の大きな角度で可動ユニットを回転させることができる。また、５０Ｈｚ程度までの広帯域の周波数領域で良好な振れ補正制御を実現できる。
【０１７３】
その結果、カメラ部の高速パンニング・チルティング・ローリング動作を実現するとともに、歩行撮影時の手振れで発生する撮影画像の像振れを補正することのできるカメラ駆動装置が実現する。また、小型で堅牢な脱落防止構造を備えるため、振動や落下衝撃等の外部からの衝撃に対する耐衝撃性の強いカメラ駆動装置が実現する。
【０１７４】
（第３の実施形態）
本発明によるカメラユニットの実施形態を説明する。本発明の第３の実施形態のカメラユニット１７０は、カメラ駆動装置と制御部とを含み、歩行時の像振れを補正することができる。図２２は、カメラユニット１７０の主要部を示す斜視図であり、図２３はカメラユニット１７０のブロック図である。図２２には、第１の実施形態のカメラ駆動装置１６５を示しているが第２の実施形態のカメラ駆動装置１６６を用いてもよい。
【０１７５】
図２２および図２３に示すように、カメラユニット１７０は、カメラ駆動装置１６５と、角速度センサー９００、９０１、９０２と、演算処理部９４と、駆動回路９６ｐ、９６ｔ、９６ｒとを含む。
【０１７６】
角速度センサー９００、９０１、９０２は、カメラ駆動装置のベース２００もしくはベース２００を固定するカメラユニット本体（図示せず）に取り付けられている。各角速度センサー９００、９０１、９０２は、図において破線で示す軸周りの角速度を検出する。具体的には、角速度センサー９００、９０１、９０２は、それぞれ、パンニング方向２０、チルティング方向２１およびローリング方向２２の角速度をそれぞれ検出する。なお、図１５では３つの独立した角速度センサー９００、９０１、９０２を示しているが、３軸周りの角速度を検出できる１つの角速度センサーを用いてもよい。また、角速度センサーは、直交する３軸周りの角速度を検出できば、３軸は、パンニング方向２０、チルティング方向２１およびローリング方向２２と一致している必要はない。角速度センサーが検出する角速度の軸が、パンニング方向２０、チルティング方向２１およびローリング方向２２と一致していない場合には、演算処理部９４において、パンニング方向２０、チルティング方向２１およびローリング方向２２の角速度に変換すればよい。
【０１７７】
たとえば、撮影時の手振れによるパンニング方向２０とチルティング方向２１の振れ角は、それぞれ角速度センサー９００および９０１によって検出される。また、歩行撮影時の歩行重心移動によって発生するローリング方向２２の振れ角は角速度センサー９０２によって検出される。図１６に示すように、角速度センサー９００、９０１、９０２によって検出した振れ角に関する情報は、それぞれ、角速度信号８０ｐ、８０t、８０ｒとして出力される。
【０１７８】
角速度信号８０ｐ、８０t、８０ｒは、演算処理部９４において演算処理を行うのに適した信号に変換される。具体的には、角速度信号８０ｐ、８０t、８０ｒはアナログ回路９１ｐ、９１ｔ、９１ｒに入力され、ノイズ成分やＤＣドリフト成分が除去される。ノイズ成分およびＤＣドリフト成分が除去された角速度信号８１ｐ、８１t、８１ｒは、増幅回路９２ｐ、９２ｔ、９２ｒに入力され、それぞれ適切な出力値の角速度信号８２ｐ、８２t、８２ｒが出力される。その後ＡＤ変換器９３ｐ、９３ｔ、９３ｒにより、それぞれデジタル信号に変換され、デジタル化された角速度信号８３ｐ、８３t、８３ｒが演算処理部９４に入力される。
【０１７９】
演算処理部９４は、角速度を手振れの角度に変換する積分処理を行い、パンニング方向２０、チルティング方向２１およびローリング方向２２の振れ角を逐次算出する。また、３軸の振れ補正処理が行われる。演算処理部９４で行われる３軸の振れ補正処理は、それぞれの角速度センサー９００、９０１、９０２で検出された角速度信号８３ｐ、８３t、８３ｒに応じて角速度を抑制するようにカメラ部１００を搭載した可動ユニットを駆動する開ループ制御である。演算処理部９４は、カメラ駆動装置１６５の周波数応答特性と位相補償およびゲイン補正等を含めた最適なデジタルの振れ補正量として逐次目標回転角度信号８４ｐ、８４ｔ、８４ｒを出力する。
【０１８０】
目標回転角度信号８４ｐ、８４ｔ、８４ｒはＤＡ変換器９５ｐ、９５ｔ、９５ｒによりアナログ化され、アナログの目標回転角度信号８５ｐ、８５ｔ、８５ｒとして駆動回路９６ｐ、９６ｔ、９６ｒに入力される。
【０１８１】
一方、カメラ駆動装置１６５においては、カメラ部１００を搭載した可動ユニットのベース２００に対する回転角度を検出する第１および第２の磁気センサー５０１、５０３からパンニング方向２０、チルティング方向２１およびローリング方向２２の回転角度信号８６ｐ、８６t、８６ｒが出力される。回転角度信号８６ｐ、８６t、８６ｒは、アナログ回路９７ｐ、９７ｔ、９７ｒによってノイズ成分やＤＣドリフト成分が除去され、回転角度信号８７ｐ、８７t、８７ｒとなる。さらに増幅回路９８ｐ、９８ｔ、９８ｒにより適切な出力値の回転角度信号８８ｐ、８８t、８８ｒが得られる。回転角度信号８８ｐ、８８t、８８ｒは、駆動回路９６ｐ、９６ｔ、９６ｒに入力される。
【０１８２】
駆動回路９６ｐ、９６ｔ、９６ｒは、目標の角度信号８５ｐ、８５ｔ、８５ｒに対して回転角度信号８８ｐ、８８t、８８ｒを帰還するフィードバック系で構成される。従って、カメラユニット１７０に外部からの力が作用しない場合は、所定の回転角度位置となるようにカメラ部１００を搭載した可動ユニットのパンニング方向２０、チルティング方向２１およびローリング方向２２の角度を制御している。目標の角度信号８５ｐ、８５ｔ、８５ｒおよび回転角度信号８８ｐ、８８t、８８ｒに基づき、パンニング駆動コイル３０１、チルティング駆動コイル３０２、ローリング駆動コイル３０３を駆動する駆動信号が駆動回路９６ｐ、９６ｔ、９６ｒが出力される。これによりカメラ駆動装置１６５において、角度位置のフィードバック制御が実行され、回転角度信号８８ｐ、８８ｔ、８８ｒが目標回転角度信号８５ｐ、８５ｔ、８５ｒに等しくなるようにカメラ部１００を搭載した可動部１０２が駆動される。
【０１８３】
この一連の駆動制御により、カメラ部１００の振れ補正が実施され、歩行時においても良好な安定撮影が実現可能となる。
【０１８４】
本発明の第３の実施形態では、角速度センサーの出力を積分した回転角度信号を主とした制御系を示した。しかしＡＤ変換器を介してカメラ駆動装置の第１および第２の磁気センサー５０１、５０３からの回転角度信号８８ｐ、８８ｔ、８８ｒを演算処理部９４に取り込み、微分演算処理を行うことにより、カメラ部１００の回転角速信号を検出することも可能である。これにより、演算処理部９４において、カメラ装置の角速度信号８３ｐ、８３ｔ、８３ｒとカメラ部１００の回転角度信号を用いた角速度フィードバック系をさらに構築することができ、より高い精度で手ぶれおよび歩行振れを抑制することができる。
【０１８５】
本発明のカメラ駆動装置およびカメラユニットは、従来の手振れ補正装置に比べて、より大きな角度でカメラ部を回転させることができる。このため、本発明のカメラ駆動装置およびカメラユニットは、画像処理等を用い、画像中で特定した被写体が、たとえば、画面の中央に位置するように被写体を追尾することのできるカメラ駆動装置を実現することもできる。
【０１８６】
また、カメラ部をパンニング方向またはチルティング方向に回転させながら撮影を行い、撮影した静止画や動画を逐次合成することによって、静止画や動画の超広角撮影が可能なカメラ駆動装置を実現することができる。
【０１８７】
なお、第１から第３の実施形態は、カメラ部を備えたカメラ駆動装置およびカメラユニットを説明したが、本発明は、カメラ部以外の発光デバイスや受光デバイスを搭載し、３軸方向に自在に駆動し得る駆動装置を実現してもよい。例えば、カメラ部に換えて、レーザ素子や光検出素子を可動ユニットに搭載し、３軸方向に自在に駆動し得る駆動装置を実現してもよい。この場合、ローリング方向への回転が不要であれば、ローリング駆動部は設けなくてもよい。
【０１８８】
また、第１から第３の実施形態では、吸着用磁石として、パンニング、チルティングおよびローリング駆動磁石を用い、磁性体として、パンニング、チルティングおよびローリング磁気ヨークを用いたが、カメラ駆動装置は、吸着用磁石および磁性体として、これらの駆動磁石や磁気ヨークと別の磁石および磁性体を備えていてもよい。
【産業上の利用可能性】
【０１８９】
本発明のカメラ駆動装置は、パンニング方向、チルティング方向およびローリング方向に駆動可能な構造を備えているため、歩行撮影時に撮影者の重心移動によって発生するローリング振れを含めた３軸方向の振れ補正を実現でき、ウエアラブルカメラ等、画像の振れ補正が必要な種々の撮像装置に好適に用いることができる。また高速パンニング、チルティングおよびローリング動作を必要とする被写体の高速追従カメラや監視カメラ、車載カメラなどに適している。【０１９０】
さらに高速パンニング動作や高速チルティング動作を行うことにより、撮影画像の高速合成を実現でき、静止画のみならず動画の超広角撮影ができるビデオカメラを提供することができる。
【符号の説明】
【０１９１】
１０  光軸
１１、１２  回転軸
１３、１４  直線
２０  パンニング方向
２１  チルティング方向
２２  ローリング方向
３０〜４５  直線
５０  空隙
５５  支持ボール
７０  球心
１００  カメラ部
１０２  可動部
１０２Ｒ  凸状部分球面
１０２Ｓ  切り欠き部
１０２Ｔ  回転規制突起部
１６５、１６５  カメラ駆動装置
１７０  カメラユニット
２００  ベース
２００Ａ、２００Ｊ、２００Ｇ  凹状円錐面
２００Ｐ、２００Ｔ、２００Ｒ  開口部
２０１  脱落防止部材
２０１Ａ  脱落防止規制面
２０３、２０４、２０５  磁気ヨーク
３０１、３０２、３０３  駆動コイル
４０１、４０２、４０５  駆動用磁石
４０３  回転検出用磁石
４０４  傾斜検出用磁石
５０１、５０３  磁気センサー
【図１】
2012004952.tif 000003
【図２】
2012004952.tif 000004
【図３Ａ】
2012004952.tif 000005
【図３Ｂ】
2012004952.tif 000006
【図４Ａ】
2012004952.tif 000007
【図４Ｂ】
2012004952.tif 000008
【図４Ｃ】
2012004952.tif 000009
【図５】
2012004952.tif 000010
【図６Ａ】
2012004952.tif 000011
【図６Ｂ】
2012004952.tif 000012
【図７】
2012004952.tif 000013
【図８】
2012004952.tif 000014
【図９】
2012004952.tif 000015
【図１０】
2012004952.tif 000016
【図１１】
2012004952.tif 000017
【図１２Ａ】
2012004952.tif 000018
【図１２Ｂ】
2012004952.tif 000019
【図１３】
2012004952.tif 000020
【図１４Ａ】
2012004952.tif 000021
【図１４Ｂ】
2012004952.tif 000022
【図１５】
2012004952.tif 000023
【図１６】
2012004952.tif 000024
【図１７】
2012004952.tif 000025
【図１８】
2012004952.tif 000026
【図１９】
2012004952.tif 000027
【図２０】
2012004952.tif 000028
【図２１】
2012004952.tif 000029
【図２２】
2012004952.tif 000030
【図２３】
2012004952.tif 000031
【手続補正書】
【提出日】平成24年1月17日(2012.1.17)
【手続補正１】
【補正対象書類名】明細書
【補正対象項目名】００２５
【補正方法】変更
【補正の内容】
【００２５】
ある好ましい実施形態において、前記１対のパンニング駆動コイルおよび前記１対のチルティング駆動コイルのそれぞれの巻回中心軸と垂直であり、前記第１の凸状部分球面の球心およびそれぞれの駆動コイルを通る直線は、前記光軸に垂直であり、前記第１の凸状部分球面の球心を通る水平面に対して、４５度以下の傾斜角度Ａをなしており、前記１対のパンニング駆動磁石および前記１対のチルティング駆動磁石は、前記１対のパンニング駆動コイルおよび前記１対のチルティング駆動コイルに対向するよう前記可動ユニットに傾斜して配置されている。
【手続補正２】
【補正対象書類名】明細書
【補正対象項目名】０１１３
【補正方法】変更
【補正の内容】
【０１１３】
また、図１０に示すように、パンニング方向回転軸１２とチルティング方向回転軸１１と４５度をなす直線１４と光軸１０を含む平面において、ローリング駆動コイル３０３の巻回中心軸４２および直線３２に直交する直線４７ならびに巻回中心軸４３および直線３３に直交する直線４８が、図７、図８に示すローリング磁気ヨーク２０５およびローリング駆動コイル３０３をベース２００に挿入するための１対の開口部２００Ｒの中心線となる。
【手続補正３】
【補正対象書類名】明細書
【補正対象項目名】０１７６
【補正方法】変更
【補正の内容】
【０１７６】
角速度センサー９００、９０１、９０２は、カメラ駆動装置のベース２００もしくはベース２００を固定するカメラユニット本体（図示せず）に取り付けられている。各角速度センサー９００、９０１、９０２は、図において破線で示す軸周りの角速度を検出する。具体的には、角速度センサー９００、９０１、９０２は、それぞれ、パンニング方向２０、チルティング方向２１およびローリング方向２２の角速度をそれぞれ検出する。なお、図２２では３つの独立した角速度センサー９００、９０１、９０２を示しているが、３軸周りの角速度を検出できる１つの角速度センサーを用いてもよい。また、角速度センサーは、直交する３軸周りの角速度を検出できば、３軸は、パンニング方向２０、チルティング方向２１およびローリング方向２２と一致している必要はない。角速度センサーが検出する角速度の軸が、パンニング方向２０、チルティング方向２１およびローリング方向２２と一致していない場合には、演算処理部９４において、パンニング方向２０、チルティング方向２１およびローリング方向２２の角速度に変換すればよい。
【手続補正４】
【補正対象書類名】明細書
【補正対象項目名】０１７７
【補正方法】変更
【補正の内容】
【０１７７】
たとえば、撮影時の手振れによるパンニング方向２０とチルティング方向２１の振れ角は、それぞれ角速度センサー９００および９０１によって検出される。また、歩行撮影時の歩行重心移動によって発生するローリング方向２２の振れ角は角速度センサー９０２によって検出される。図２３に示すように、角速度センサー９００、９０１、９０２によって検出した振れ角に関する情報は、それぞれ、角速度信号８０ｐ、８０t、８０ｒとして出力される。
【手続補正５】
【補正対象書類名】明細書
【補正対象項目名】０１９１
【補正方法】変更
【補正の内容】
【０１９１】
１０  光軸
１１、１２  回転軸
１３、１４  直線
２０  パンニング方向
２１  チルティング方向
２２  ローリング方向
３０〜４５  直線
５０  空隙
５５  支持ボール
７０  球心
１００  カメラ部
１０２  可動部
１０２Ｒ  凸状部分球面
１０２Ｓ  切り欠き部
１０２Ｔ  回転規制突起部
１６５、１６６  カメラ駆動装置
１７０  カメラユニット
２００  ベース
２００Ａ、２００Ｊ、２００Ｇ  凹状円錐面
２００Ｐ、２００Ｔ、２００Ｒ  開口部
２０１  脱落防止部材
２０１Ａ  脱落防止規制面
２０３、２０４、２０５  磁気ヨーク
３０１、３０２、３０３  駆動コイル
４０１、４０２、４０５  駆動用磁石
４０３  回転検出用磁石
４０４  傾斜検出用磁石
５０１、５０３  磁気センサー
【手続補正６】
【補正対象書類名】特許請求の範囲
【補正対象項目名】全文
【補正方法】変更
【補正の内容】
【特許請求の範囲】
【請求項１】
撮像面を有する撮像素子、光軸を有し、前記面に被写体像を形成するレンズおよび前記レンズを保持するレンズ鏡筒を含むカメラ部と、
少なくとも１つの吸着用磁石を有し、前記カメラ部を内蔵する可動ユニットであって、第１の凸状部分球面を外形に有する可動ユニットと、
少なくとも１つの磁性体および前記可動ユニットの少なくとも一部が遊嵌する凹部を有し、前記少なくとも１つの吸着用磁石の前記少なくとも１つの前記磁性体に対する磁気吸引力によって、前記可動ユニットの前記第１の凸状部分球面と前記凹部とが点または線接触し、前記可動ユニットが前記第１の凸状部分球面の球心を中心として自在に回転する固定ユニットと、
前記固定ユニットに対して前記カメラ部をパンニング方向へ傾斜させるパンニング駆動部と、
前記固定ユニットに対して前記カメラ部を前記パンニング方向と直交するチルティング方向へ傾斜させるチルティング駆動部と、
前記固定ユニットに対して前記カメラ部を前記レンズの前記光軸を中心に回転するローリング方向へ回転させるローリング駆動部と、
前記固定ユニットに対する前記カメラ部の前記パンニングおよびチルティング方向への傾斜角度と前記ローリング方向に回転する前記カメラ部の回転角度を検出する検出器と、
を備えるカメラ駆動装置。
【請求項２】
前記固定ユニットは、前記凹部内に位置する少なくとも３つの第２の凸状部分球面を有し、前記第２の凸状部分球面と前記可動ユニットの第１の凸状部分球面とが点接触している請求項１に記載のカメラ駆動装置。
【請求項３】
前記固定ユニットは、前記凹部の内側面を構成する凹状円錐面を有し、前記円錐面と前記可動ユニットの第１の凸状部分球面とが線接触している請求項１に記載のカメラ駆動装置。
【請求項４】
固定ユニットに設けられ、前記可動ユニットが前記固定ユニットから脱落しないように前記可動ユニットの移動を制限する規制面を有する脱落防止部材をさらに備え、
前記規制面は、前記第１の凸状部分球面の球心と一致した中心を有する凹状部分球面を有する請求項１から３のいずれかに記載のカメラ駆動装置。
【請求項５】
前記パンニング駆動部は、
前記可動ユニットにおいて、前記光軸に対して対称に配置された１対のパンニング駆動磁石と、
前記１対のパニングング駆動磁石に対向するよう前記固定ユニットにそれぞれ配置された１対のパンニング磁気ヨークと、
前記１対のパニング磁気ヨークにそれぞれ巻回された１対のパニング駆動コイルと、
を含み、
前記チルティング駆動部は、
前記可動ユニットにおいて、前記光軸に対して対称に配置された１対のチルティング駆動磁石と、
前記１対のチルティング駆動磁石に対向するよう前記固定ユニットにそれぞれ配置された１対のチルティング磁気ヨークと、
前記１対のチルティング磁気ヨークにそれぞれ巻回された１対のチルティング駆動コイルと、
を含む請求項１から４のいずれかに記載のカメラ駆動装置。
【請求項６】
前記ローリング駆動部は、
前記光軸に垂直な平面であって、前記１対のパンニング駆動磁石を結ぶ直線および前記１対のチルティング駆動磁石を結ぶ直線に対して４５度の角度をなし、前記光軸を通る直線上において、前記可動ユニットに配置された１対のローリング駆動磁石と、
前記ローリング駆動磁石に対向するよう前記固定ユニットにそれぞれ配置された１対のローリング磁気ヨークと、
前記１対のローリング磁気ヨークにそれぞれ巻回された１対のローリング駆動コイルと
を含む請求項５に記載のカメラ駆動装置。
【請求項７】
前記ローリング駆動部は、
前記１対の前記パンニング磁気ヨークおよび前記１対のチルティング磁気ヨークにそれぞれ巻回された４つのローリング駆動コイルを含み、
前記１対のパンニング駆動磁石および前記１対のチルティング駆動磁石をローリング駆動磁石として用いる請求項５に記載のカメラ駆動装置。
【請求項８】
前記少なくとも１つの磁性体は、前記１対のパンニング磁気ヨーク、前記１対のチルティング磁気ヨークおよび前記１対のローリング磁気ヨークである請求項６に記載のカメラ駆動装置。
【請求項９】
前記少なくとも１つの磁性体は、前記１対のパンニング磁気ヨークおよび前記１対のチルティング磁気ヨークである請求項７に記載のカメラ駆動装置。
【請求項１０】
前記少なくとも１つの吸着用磁石は、前記１対のパンニング駆動磁石、前記１対のチルティング駆動磁石および前記１対のローリング駆動磁石である請求項８に記載のカメラ駆動装置。
【請求項１１】
前記少なくとも１つの吸着用磁石は、前記１対のパンニング駆動磁石および前記１対のチルティング駆動磁石である請求項９に記載のカメラ駆動装置。
【請求項１２】
前記１対のパンニング駆動コイルおよび前記１対のチルティング駆動コイルのそれぞれの巻回中心軸と垂直であり、前記第１の凸状部分球面の球心およびそれぞれの駆動コイルを通る直線は、前記光軸に垂直であり、前記第１の凸状部分球面の球心を通る水平面に対して、４５度以下の傾斜角度Ａをなしており、
前記１対のパンニング駆動磁石および前記１対のチルティング駆動磁石は、前記１対のパンニング駆動コイルおよび前記１対のチルティング駆動コイルに対向するよう前記可動ユニットに傾斜して配置されている請求項５から７のいずれかに記載のカメラ駆動装置。
【請求項１３】
前記１対のローリング駆動コイルのそれぞれの巻回中心軸と垂直であり、前記第１の凸状部分球面の球心を通る直線は、前記光軸に垂直であり、前記第１の凸状部分球面の球心およびそれぞれのローリング駆動コイルの中心を通る水平面に対して、４５度以下の傾斜角度Ｂをなしており、
前記１対のローリング駆動磁石は、前記ローリング駆動コイルに対向するよう前記可動ユニットに傾斜して配置されている請求項６または７に記載のカメラ駆動装置。
【請求項１４】
前記傾斜角度Ａが２０度である請求項１２に記載のカメラ駆動装置。
【請求項１５】
前記傾斜角度Ｂが２０度である請求項１３に記載のカメラ駆動装置。
【請求項１６】
前記各第２の凸状部分球面の球心と前記第１の凸状部分球面の球心とを結ぶ直線は、前記光軸に垂直であり、前記第１の凸状部分球面の球心を通る水平面に対して、４５度の傾斜角度Ｃをなしている請求項２に記載のカメラ駆動装置。
【請求項１７】
前記１対のパンニング駆動磁石、前記１対のチルティング駆動磁石および前記１対のローリング駆動磁石は、それぞれ、前記可動ユニットの内側に位置しており、前記第１の凸状部分球面において露出していない請求項５に記載のカメラ駆動装置。
【請求項１８】
前記１対のパンニング駆動コイル、前記１対のチルティング駆動コイルおよび前記１対のローリング駆動コイルは、それぞれ、前記固定ユニットの内側に設けられ、前記凹部内において露出していない請求項６に記載のカメラ駆動装置。
【請求項１９】
前記可動ユニットは、樹脂材料によって構成されている請求項１７に記載のカメラ駆動装置。
【請求項２０】
前記可動ユニットは、前記１対のパンニング駆動磁石、前記１対のチルティング駆動磁石および前記１対のローリング駆動磁石とともに一体成型されている請求項１９に記載のカメラ駆動装置。
【請求項２１】
前記固定ユニットは、樹脂材料によって構成されている請求項１８に記載のカメラ駆動装置。
【請求項２２】
前記固定ユニットは、前記１対のパンニング駆動コイル、前記１対のチルティング駆動コイル、前記１対のローリング駆動コイル、前記１対のパンニング磁気ヨーク、前記１対のチルティング磁気ヨークおよび前記１対のローリング磁気ヨークとともに一体成型されている請求項２１に記載のカメラ駆動装置。
【請求項２３】
前記可動ユニットの重心は前記第１の凸状部分球面の球心と一致している請求項１から４のいずれかに記載のカメラ駆動装置。
【請求項２４】
前記カメラ部に接続され、フレキシブルプリント配線板によって構成された配線をさらに備え、
前記配線は、前記光軸に対して線対称に配置されており、前記光軸に垂直な平面において、前記１対のチルティング駆動磁石を結ぶ線または前記１対のパンニング駆動磁石を結ぶ線に対して４５度をなす方向において、前記可動ユニットに固定されている請求項５に記載のカメラ駆動装置。
【請求項２５】
前記検出器は、
前記固定ユニットに対する前記カメラ部の前記パンニング方向および前記チルティング方向への傾斜角度を検出する第１の検出部と、
前記光軸周りの前記カメラ部の回転角度を検出する第２の検出部と
を含む請求項２４に記載のカメラ駆動装置。
【請求項２６】
前記第１の検出部は、
前記固定ユニットに固定された第１の磁気センサーと、
前記可動ユニットに設けられた傾斜検出用磁石と
を含み、
前記第１の磁気センサーは、前記傾斜検出用磁石の傾斜による磁力変化を検出し、前記カメラ部の前記パンニング方向および前記チルティング方向の２次元の傾斜角度を算出する請求項２５に記載のカメラ駆動装置。
【請求項２７】
前記第１の磁気センサーおよび前記傾斜検出用磁石は、前記光軸上に位置している請求項２６に記載のカメラ駆動装置。
【請求項２８】
前記第１の検出部は、
前記固定ユニットに固定された光センサーと、
前記可動ユニットの前記第１の凸状部分球面の一部に設けられた光検出パターンと
を含み、
前記光センサーは、前記光検出パターンの傾斜による前記光センサーに入射する光の変化を検出し、前記カメラ部の前記パンニングおよびチルティング方向の２次元の傾斜角度を算出する請求項２５に記載のカメラ駆動装置。
【請求項２９】
前記光センサーおよび前記光検出パターンは、前記光軸上に位置している請求項２８に記載のカメラ駆動装置。
【請求項３０】
前記第２の検出部は、
前記固定ユニットに固定された１対の第２の磁気センサーと、
前記可動ユニットに設けられた１対の回転検出用磁石と
を含み、
前記１対の第２の磁気センサーは、前記回転検出用磁石の回転による磁力変化を検出して、前記カメラ部の回転角度を算出する請求項２５に記載のカメラ駆動装置。
【請求項３１】
前記１対の第２の磁気センサーおよび前記１対の回転検出用磁石は、それぞれ、前記光軸に対して対称に配置されている請求項３０に記載のカメラ駆動装置。
【請求項３２】
前記可動ユニットが中立の位置にあるとき、前記光軸に直交する平面において、前記１対の第２の磁気センサーを結ぶ直線および前記１対の回転検出用磁石は、それぞれ、前記１対のパンニング駆動磁石を結ぶ直線および前記１対のチルティング駆動磁石を結ぶ直線に対して４５度の角度をなす直線上に配置されている請求項３１に記載のカメラ駆動装置。
【請求項３３】
前記１対の回転検出用磁石のそれぞれは、前記光軸に直交する平面において、前記第１の凸状部分球面の球心を通る直線に平行であり互いに逆向き方向に着磁された２つの磁極を有し、かつ、２つの磁極は前記光軸を中心とする円の円周方向に配列されている請求項３２に記載のカメラ駆動装置。
【請求項３４】
前記１対の第２の磁気センサーは、前記配線に設けられている請求項３０または３１に記載のカメラ駆動装置。
【請求項３５】
前記脱落防止部材の前記規制面と前記可動ユニットの第１の凸状部分球面との間に粘性部材または磁性流体をさらに備える請求項４に記載のカメラ駆動装置。
【請求項３６】
前記脱落防止部材の前記規制面と前記可動ユニットの前記第１の凸状部分球面との間に空隙が設けられており、
前記可動ユニットの前記第１の凸状部分球面が前記固定ユニットの前記凹部から離間しても、前記磁気吸引力によって、点または線接触の状態に戻るように前記空隙は決定されている請求項４に記載のカメラ駆動装置。
【請求項３７】
請求項１から３６のいずれかに規定されるカメラ駆動装置と、
前記固定ユニットの直交する３軸周りの角速度をそれぞれ検出する角速度センサーと、
前記角速度センサーからの出力に基づき、目標回転角度信号を生成する演算処理部と、
前記目標回転角度信号に基づき、前記第１の駆動部および前記第２の駆動部を駆動する信号を生成する駆動回路と
を備えたカメラユニット。
【請求項３８】
光軸を有し、光を受光または発光する光デバイスと、
少なくとも１つの吸着用磁石を有し、前記光デバイスを内蔵する可動ユニットであって、第１の凸状部分球面を外形に有する可動ユニットと、
少なくとも１つの磁性体および前記可動ユニットの少なくとも一部が遊嵌する凹部を有し、前記少なくとも１つの吸着用磁石の前記少なくとも１つの磁性体に対する磁気吸引力によって、前記可動ユニットの前記第１の凸状部分球面と前記凹部とが点または線接触し、前記可動ユニットが前記第１の凸状部分球面の球心を中心として自在に回動する固定ユニットと、
前記固定ユニットに対して前記光デバイスをパンニング方向へ傾斜させるパンニング駆動部と、
前記固定ユニットに対して前記光デバイスを前記パンニング方向と直交するチルティング方向へ傾斜させるチルティング駆動部と、
前記固定ユニットに対する前記光デバイスの前記パンニングおよびチルティング方向への傾斜角度を検出する検出器と、
を備える光デバイス駆動装置。
【国際調査報告】
2012004952.tif 000032
2012004952.tif 000033
2012004952.tif 000034
2012004952.tif 000035